(57)【特許請求の範囲】
【請求項１】
選択されたチャンネルのＴＶ放送を受信する受信手段と、
この受信手段により受信されたＴＶ放送を録画データとして記録する録画制御手段と、
前記受信手段により受信されたＴＶ放送を表示する制御を行う表示制御手段と、
前記録画制御手段によるＴＶ放送の録画時に、録画するチャンネルと同じチャンネルのＴＶ放送のどの範囲部分が前記表示制御手段により表示部に表示されたかに応じて、録画するＴＶ放送のどの範囲部分が視聴済みでどの範囲部分が未視聴であるかを表す視聴管理情報を作成し、当該録画するＴＶ放送の録画データと対応付けて記録する視聴管理情報記録制御手段と、
前記視聴管理情報記録制御手段により録画データに対応付けて記録された視聴管理情報に基づいて、当該録画データが視聴済みの録画データであるのか或は少なくとも一部に未視聴部分を有する録画データであるのかを識別可能に表示する制御を行う視聴状態表示制御手段と、
を備えることを特徴とする録画再生機。
【請求項２】
前記視聴管理情報記録制御手段は、視聴済みか未視聴かを識別する識別情報と、視聴済み部分や未視聴部分の場所を特定する情報とを、前記視聴管理情報として作成する手段であることを特徴とする請求項１に記載の録画再生機。
【請求項３】
前記録画制御手段により記録された録画データを再生する際に、当該録画データに対応する視聴管理情報に基づいて、視聴済み部分を飛び越し再生するように制御する再生制御手段を更に備えることを特徴とする請求項１又は２に記載の録画再生機。
【請求項４】
前記再生制御手段は、視聴済み部分の飛び越し再生をユーザの指示入力に応じて行う指示呼応制御手段を有することを特徴とする請求項３に記載の録画再生機。
【請求項５】
人感センサを更に備え、
前記視聴管理情報記録制御手段は、前記録画制御手段によるＴＶ放送の録画時に、録画するチャンネルと同じチャンネルのＴＶ放送を前記表示制御手段が表示部に表示するよう表示制御し、且つ、前記人感センサにより人間が感知されている場合に、その表示部に表されたＴＶ放送の部分を視聴済み部分として前記視聴管理情報を作成する手段である、
ことを特徴とする請求項１又は２に記載の録画再生機。
【請求項６】
前記録画制御手段により記録された録画データが再生された際に、再生部分を視聴済み部分として、当該録画データに対応する視聴管理情報を更新記録する視聴管理情報更新手段を更に備えることを特徴とする請求項１又は２に記載の録画再生機。
【請求項７】
選択されたチャンネルのＴＶ放送を受信する受信手段を備えたコンピュータに、
前記受信手段により受信されたＴＶ放送を録画データとして記録する録画制御機能と、
前記受信手段により受信されたＴＶ放送を表示する制御を行う表示制御機能と、
前記録画制御機能によるＴＶ放送の録画時に、録画するチャンネルと同じチャンネルのＴＶ放送のどの範囲部分が前記表示制御機能により表示部に表示されたかに応じて、録画するＴＶ放送のどの範囲部分が視聴済みでどの範囲部分が未視聴であるかを表す視聴管理情報を作成し、当該録画するＴＶ放送の録画データと対応付けて記録する視聴管理情報記録制御機能と、
前記視聴管理情報記録録画制御機能により録画データに対応付けて記録された視聴管理情報に基づいて、当該録画データが視聴済みの録画データであるのか或は少なくとも一部に未視聴部分を有する録画データであるのかを識別可能に表示する制御を行う視聴状態表示制御機能と、
を実現させるためのプログラム。
【発明の詳細な説明】
【技術分野】
【０００１】
本発明は、録画再生機及びプログラムに関し、例えば地上波デジタル放送用のデジタル録画再生機に適用して好適なものである。
【背景技術】
【０００２】
昨今、わが国でも地上波デジタル放送サービスが開始される等、テレビ放送サービスにおいては、これまで主に用いられてきた地上波のアナログ放送技術に代えて、通信衛星（ＣＳ：Communications Satellite）や放送衛星（ＢＳ：Broadcast Satellite ）を介して、或いは地上波において、デジタル信号を伝送するデジタル放送技術が急速に普及しつつある。
【０００３】
かかるデジタル放送技術による放送サービス（以下、単にデジタル放送と呼ぶ。）においては、放送される番組の音声や映像のデータに加え、番組のジャンル、放送時間等に関する電子番組ガイドといった情報データを含んだ放送波が送信される。
【０００４】
また昨今、テレビ放送を受信し録画及び再生するための装置（以下、録画再生機と呼ぶ。）としては、テレビ放送の音声や映像のデータ（以下、音声映像データと呼ぶ。）を、ハードディスクや追記型ＤＶＤ媒体（ＤＶＤ−ＲＡＭやＤＶＤ−ＲＷ）といった、ランダムアクセスによる情報の読み書きが可能な記録媒体に記録（録画）する形態の装置が普及するようになった。
【０００５】
そのような、ランダムアクセス性を有する録画再生機によれば、記録媒体に録画された複数の音声映像データを任意の順序で再生できるから、ユーザは録画内容を容易に確認できる。
【０００６】
ところで、かかる録画再生機として、デジタル放送の番組を録画及び再生するように構成された装置（以下、デジタル放送録画再生機と呼ぶ。）の場合、番組を録画する際、放送波に含まれる電子番組ガイドの情報データから取得したその番組のジャンル、放送時間等といった情報（以下、管理情報と呼ぶ。）を、録画される音声映像データと対応付けて記録しておくように構成することも可能である。
【０００７】
かかる構成のデジタル放送録画再生機によれば、ユーザはこの管理情報の内容を参照しながら所望の音声映像データを特定し、再生視聴できる。
【０００８】
そのようなデジタル放送録画再生機として、例えば、録画の際、日付、時間、番組名、出演者、コメント等で構成される管理情報を音声映像データと対応付けて記録し、後にユーザが再生対象の音声映像データを選択する際、記録した管理情報を参照しながら選択できるようにした構成が開示されている（例えば、特許文献１）。
【特許文献１】特開２００３−１８９２１８号公報
【発明の開示】
【発明が解決しようとする課題】
【０００９】
しかしながら、各音声映像データについての、かかる構成の管理情報が参照可能であっても、ユーザが各音声映像データを既に視聴したか否かを把握するためには、例えば、各音声映像データの一部を再生し視聴してみる必要や、管理情報の一部（例えば、番組名や録画日時）に基づいて既に視聴したか否か思考する必要がある。
このように、音声映像データが既に視聴されたか否かを把握することは容易でないという問題があった。
【００１０】
本発明は以上の点を考慮してなされたもので、音声映像データや記録データが既に視聴されたか否かをユーザが容易に把握できる録画再生機を提供することを目的としている。
【課題を解決するための手段】
【００１１】
かかる課題を解決するため、請求項１に記載の録画再生機においては、
選択されたチャンネルのＴＶ放送を受信する受信手段と、
この受信手段により受信されたＴＶ放送を録画データとして記録する録画制御手段と、
前記受信手段により受信されたＴＶ放送を表示する制御を行う表示制御手段と、
前記録画制御手段によるＴＶ放送の録画時に、録画するチャンネルと同じチャンネルのＴＶ放送のどの範囲部分が前記表示制御手段により表示部に表示されたかに応じて、録画するＴＶ放送のどの範囲部分が視聴済みでどの範囲部分が未視聴であるかを表す視聴管理情報を作成し、当該録画するＴＶ放送の録画データと対応付けて記録する視聴管理情報記録制御手段と、
前記視聴管理情報記録制御手段により録画データに対応付けて記録された視聴管理情報に基づいて、当該録画データが視聴済みの録画データであるのか或は少なくとも一部に未視聴部分を有する録画データであるのかを識別可能に表示する制御を行う視聴状態表示制御手段と、
を備えることを特徴とする。
【００１２】
また、請求項２に記載の録画再生機は、請求項１に記載の録画再生機において、前記視聴管理情報記録制御手段は、視聴済みか未視聴かを識別する識別情報と、視聴済み部分や未視聴部分の場所を特定する情報とを、前記視聴管理情報として作成する手段であることを特徴とする。 
【００１３】
また、請求項３に記載の録画再生機は、請求項１又は２に記載の録画再生機において、前記録画制御手段により記録された録画データを再生する際に、当該録画データに対応する視聴管理情報に基づいて、視聴済み部分を飛び越し再生するように制御する再生制御手段を更に備えることを特徴とする。 
【００１４】
また、請求項４に記載の録画再生機は、請求項３に記載の録画再生機において、前記再生制御手段は、視聴済み部分の飛び越し再生をユーザの指示入力に応じて行う指示呼応制御手段を有することを特徴とする。
【００１５】
また、請求項５に記載の録画再生機は、請求項１又は２に記載の録画再生機において、
人感センサを更に備え、
前記視聴管理情報記録制御手段は、前記録画制御手段によるＴＶ放送の録画時に、録画するチャンネルと同じチャンネルのＴＶ放送を前記表示制御手段が表示部に表示するよう表示制御し、且つ、前記人感センサにより人間が感知されている場合に、その表示部に表されたＴＶ放送の部分を視聴済み部分として前記視聴管理情報を作成する手段である、
ことを特徴とする。
【００１６】
また、請求項６に記載の録画再生機は、請求項１又は２に記載の録画再生機において、前記録画制御手段により記録された録画データが再生された際に、再生部分を視聴済み部分として、当該録画データに対応する視聴管理情報を更新記録する視聴管理情報更新手段を更に備えることを特徴とする。 
【００１７】
また、請求項７に記載のプログラムは、選択されたチャンネルのＴＶ放送を受信する受信手段を備えたコンピュータに、
前記受信手段により受信されたＴＶ放送を録画データとして記録する録画制御機能と、
前記受信手段により受信されたＴＶ放送を表示する制御を行う表示制御機能と、
前記録画制御機能によるＴＶ放送の録画時に、録画するチャンネルと同じチャンネルのＴＶ放送のどの範囲部分が前記表示制御機能により表示部に表示されたかに応じて、録画するＴＶ放送のどの範囲部分が視聴済みでどの範囲部分が未視聴であるかを表す視聴管理情報を作成し、当該録画するＴＶ放送の録画データと対応付けて記録する視聴管理情報記録制御機能と、
前記視聴管理情報記録録画制御機能により録画データに対応付けて記録された視聴管理情報に基づいて、当該録画データが視聴済みの録画データであるのか或は少なくとも一部に未視聴部分を有する未視聴の録画データであるのかを識別可能に表示する制御を行う視聴状態表示制御機能と、
を実現させることを特徴とする。
【発明の効果】
【００１８】
本発明によれば、ユーザは、録画データを既に視聴したか否かを容易に把握できる。
【発明を実施するための最良の形態】
【００２４】
以下、図面を参照して本発明を実施するための形態について詳細に説明する。以下においては、本発明を地上波デジタル放送用のデジタル録画再生機に適用した場合について説明するが、本発明を適用可能な形態がこれに限定されるものではない。
【００２５】
〔第１の実施の形態〕
図１は本実施の形態における地上波デジタル放送用のデジタル録画再生機（以下、単に録画再生機と呼ぶ。）１の内部構成を示すブロック図である。
同図に示すように録画再生機１は、ＣＰＵ（Central Processing Unit ）１０と、バス１１を介して当該ＣＰＵ１０に接続される操作入力部１２、ＴＶ回路部１３、ビデオ回路部１４、音声映像記録部１５、音声映像出力部１６、メモリ部１７及び計時部１８とを備えて構成される。
【００２６】
ＣＰＵ１０は、入力される指示に応じて所定のプログラムに基づいた所定の処理を実行し、各機能部への指示やデータの転送等を行い、録画再生機１を統括的に制御する。具体的には、ＣＰＵ１０は、操作入力部１２から入力されるキーの押下信号等に応じてメモリ部１７に格納されたプログラムを読み出し、当該プログラムに従って処理を実行する。そして、処理結果をメモリ部１７に保存するとともに、当該処理結果を表示する為の表示信号を音声映像出力部１６を介して表示部１６１へ出力して、対応する表示情報を表示させる。
【００２７】
操作入力部１２は、視聴スイッチ１２１、録画予約スイッチ１２２、予約解除スイッチ１２３、録画スイッチ１２４、録画停止スイッチ１２５、再生スイッチ１２６、再生解除スイッチ１２７、再生開始スイッチ１２８及び再生停止スイッチ１２９を備えて構成される。
【００２８】
これらの各キーは、録画再生機１の録画や再生に係る動作の指示を行うためのスイッチキーである。ユーザはこれらの各スイッチキーを押下（以下、オン操作、又は単にオンとも記す。）することにより、本実施の形態のＴＶ視聴、録画及び再生に係る動作の指示を行う。
この場合、本実施の形態においてＣＰＵ１０が検出する「押下」とは、各キーを押し込む操作までを指すものとする。例えば、スイッチキーが押下され、その押し込まれた状態が保たれても、ＣＰＵ１０は「押下」が繰り返し行われているとは判別しない。
【００２９】
また、操作入力部１２はこれらスイッチキーの他にも、カーソル移動のためのキー群でなるカーソルキー部１２ａ、ＴＶ回路部１３やビデオ回路部１４が受信する放送波を指定するためのキー群でなるチャンネル指定キー部１２ｃ、入力内容の削除や取消し操作のためのクリアキー１２ｄ、操作の確定指示等を行うためのキーである決定スイッチ１２ｂ等を備え、後述の各処理においてユーザが選択等の操作を行う際、適宜これらの各キーが具体的な入力手段となる。
【００３０】
ＴＶ回路部１３は地上波デジタル放送を受信し復号するための回路部であり、アンテナ１ａを介して地上波デジタル放送の信号（以下、ＴＶ信号と呼ぶ。）を受信するＴＶチューナ１３１と、ＴＶ復調回路１３２と、ＴＶ復号回路１３３とを備えて構成される。
【００３１】
このＴＶ回路部１３においては、まずＴＶチューナ１３１は、ユーザが所定の方法で指定した放送波に対応するＴＶ信号をアンテナ１ａを介して受信してＯＦＤＭ変調信号としてＴＶ復調回路１３２へ出力し、ＴＶ復調回路１３２はそのＯＦＤＭ変調信号を復調することによりＴＳ（Transport Stream：トランスポート・ストリーム）を抽出してＴＶ復号回路１３３へ出力し、ＴＶ復号回路１３３はそのＴＳから映像データと音声データとを分離して音声映像出力部１６へ出力する。
【００３２】
この場合、ＴＶ復調回路１３２は、ＴＶチューナ１３１から入力されたＯＦＤＭ変調信号をＡ／Ｄ変換し、変換した信号に対して同調処理、ＦＦＴ演算（Fast Fourier Transform）及び誤り訂正処理を実行する一連の回路（図示せず。）を備えて構成され、これらによりＴＳの抽出を行う。
【００３３】
音声映像出力部１６は、音声や映像の出力制御を行う回路部であり、ＴＶ回路部１３から入力された映像データ及び音声データや、ＣＰＵ１０による各処理の実行に伴う処理結果を、例えばこの音声映像出力部１６に接続された表示部１６１やスピーカ１６２を介して出力する。
【００３４】
ビデオ回路部１４もまたＴＶ回路部１３と同様に、地上波デジタル放送を受信し復号するための回路部であり、アンテナ１ａを介してＴＶ信号を受信するビデオチューナ１４１と、ビデオ復調回路１４２と、ビデオ復号回路１４３とを備えて構成される。
【００３５】
このビデオ回路部１４においてもＴＶ回路部１３と同様に、ビデオチューナ１４１は、ユーザが所定の方法で指定した放送波に対応するＴＶ信号をアンテナ１ａを介して受信してＯＦＤＭ変調信号としてビデオ復調回路１４２へ出力し、ビデオ復調回路１４２はそのＯＦＤＭ変調信号を復調することによりＴＳを抽出してビデオ復号回路１４３へ出力するようになされている。
【００３６】
そしてビデオ復号回路１４３は、ビデオ復調回路１４２から入力されたＴＳから映像データと音声データとを分離するが、この場合、この映像データ及び音声データをバス１１へ出力するようになされ、出力された映像データ及び音声データは、後述するように、バス１１を介して音声映像記録部１５へ記録される。
【００３７】
音声映像記録部１５は、ハードディスクや追記可能な光ディスク等、容量単価の比較的小さい所定の記録媒体を備えて構成される補助記憶装置であり、ビデオ回路部１４から出力される映像データ及び音声データをバス１１を介して記録できるようになされている。
【００３８】
この場合ＣＰＵ１０が、例えば、まず音声映像記録部１５に空のデータファイルを作成し、ビデオ回路部１４から出力される映像データ及び音声データを所定の圧縮方式で圧縮してこのデータファイルへ次々と、所定期間に亘り追加記録する。本実施の形態において、以下、かかる追加記録の制御を録画と呼ぶこととする。
【００３９】
音声映像記録部１５は、かかる録画によって生成された各データファイル（以下、音声映像データと呼ぶ。）を記録媒体の容量が許す限り任意個保有することが可能であり、ＣＰＵ１０は、ファイル番号等のファイル識別子を音声映像データに付すことにより、それら各音声映像データを識別するようになされている。
【００４０】
また、音声映像記録部１５は、かくして記録した音声映像データに係る映像データ及び音声データを、バス１１を介して音声映像出力部１６へ出力できるようになされている。
【００４１】
この場合、ＣＰＵ１０はまず、例えばユーザにより指定された音声映像データを音声映像記録部１５から読み出し、この音声映像データを先述の圧縮方式に対応する所定の展開方式で復元（デコード）することにより映像データ及び音声データを得、得られた映像データ及び音声データを次々と音声映像出力部１６へ出力する。即ち、音声映像データに係る映像データは表示部１６１から、音声データはスピーカ１６２から、それぞれ出力され、これをユーザが視聴し得る。以下、本実施の形態において、かかる出力の制御を再生と呼ぶこととする。
【００４２】
計時部１８は、年月日や時分といった日付情報や時刻を計時する計時装置で構成され、ＣＰＵ１０は、この計時部１８によって計時される時刻情報から現時刻を取得する。
【００４３】
書換え可能な不揮発性メモリでなるメモリ部１７は、録画再生機１に係るシステムプログラムやアプリケーションプログラム、各種初期設定、必要なプログラムのロードを行うための初期プログラム等を記憶するための記憶領域であり、また、ＣＰＵ１０が実行する各種プログラムの実行に係るデータ等を一時的に保持するための記憶領域でもある。
【００４４】
図２は、本実施の形態において、かかるメモリ部１７として用いられるメモリ部１７Ａの構成を示す図である。
同図に示すようにメモリ部１７Ａは、フラグ変数部１７１、録画チャンネル１７２（録画ＣＨ）、視聴チャンネル１７３（視聴ＣＨ）、ＥＰＧデータエリア１７４、予約データエリア１７５、録画データエリア１７６、メイン処理プログラム１７ｃ、視聴処理プログラム１７ｄ、録画設定処理プログラム１７ｅ、第１の録画処理プログラム１７ｆ、第１の再生処理プログラム１７ｇ、録画データ表示処理プログラム１７ｈ及びチャンネル変更処理プログラム１７ｉを備えて構成される。
【００４５】
フラグ変数部１７１は、録画再生機１が所定の動作状態にあることを示す変数であるフラグ変数をそれぞれ格納する記憶領域であり、同図に示すように、ＳＩＣＨＯＦ、ＰＲＧＦ、ＴＡＩＫＩＦ、ＲＥＣＦ、ＰＬＡＹＦ及びＳＴＡＲＴＦの各フラグ変数を格納して構成される。
【００４６】
これらＳＩＣＨＯＦ、ＰＲＧＦ、ＴＡＩＫＩＦ、ＲＥＣＦ、ＰＬＡＹＦ及びＳＴＡＲＴＦは、それぞれ、ユーザにＴＶ視聴させる動作状態（以下、ＴＶ視聴モードと呼ぶ。）、録画予約に係る操作を受け付ける動作状態（以下、予約モードと呼ぶ。）、録画開始を待機する動作状態（以下、録画待機モードと呼ぶ。）、録画動作中である動作状態（以下、録画モードと呼ぶ。）、再生開始を待機する動作状態（以下、再生準備モードと呼ぶ。）及び再生動作中である動作状態（以下、再生動作モードと呼ぶ。）に対応するフラグ変数となっている。ここに、録画予約とは、所望の時刻にビデオ回路部１４が録画動作を開始するように、録画動作の開始時刻及び終了時刻等を設定する操作を言うものとする。
【００４７】
この場合ＣＰＵ１０により、ＳＩＣＨＯＦ、ＰＲＧＦ、ＴＡＩＫＩＦ、ＲＥＣＦ、ＰＬＡＹＦ及びＳＴＡＲＴＦの各値は、初期状態において何れも０となるように、また、録画再生機１がそれぞれＴＶ視聴モード、予約モード、録画待機モード、録画モード、再生準備モード及び再生動作モードである場合に１となるように制御される。
【００４８】
そして、本実施の形態の録画再生機１においては、例えば、視聴スイッチ１２１がオンされるとＳＩＣＨＯＦの値が１となり、ＴＶ視聴モードへ移行する。
また例えば、録画予約スイッチ１２２がオンされるとＰＲＧＦの値が１となり予約モードへ移行し、予約解除スイッチ１２３がオンされるとＰＲＧＦの値が０となり予約モードを終了する。
【００４９】
また、予約モードの録画再生機１においては、例えば、録画予約に係る操作が完了するとＴＡＩＫＩＦの値が１となり録画待機モードへ移行し、更に当該録画予約に係る録画動作が開始されるとＲＥＣＦの値が１となり録画モードへ移行し、録画動作が終了するとＴＡＩＫＩＦ及びＲＥＣＦの値が０となり録画待機モード及び録画モードを終了する。
【００５０】
また、録画再生機１においては、例えば、再生スイッチ１２６がオンされるとＰＬＡＹＦが１となり再生準備モードへ移行し、再生解除スイッチ１２７がオンされるとＰＬＡＹＦが０となり再生準備モードを終了する。
また、再生準備モードの録画再生機１においては、例えば、再生開始スイッチ１２８がオンされるとＳＴＡＲＴＦが１となり再生動作モードへ移行し、再生停止スイッチ１２９がオンされるとＳＴＡＲＴＦが０となり再生動作モードを終了する。
【００５１】
録画チャンネル１７２（録画ＣＨ）及び視聴チャンネル１７３（視聴ＣＨ）は、それぞれ録画再生機１における録画中及び視聴中のチャンネル番号を一時的に格納する領域である。
【００５２】
この場合、本実施の形態のＣＰＵ１０は、ＴＶ回路部１３において受信中のチャンネル、即ち表示部１６１が稼動しているならば表示部１６１に番組が表示されるチャンネルを視聴中のチャンネルとして、また、録画中にビデオ回路部１４において受信中のチャンネルを録画中のチャンネルとして、それぞれ認識するようになされている。
【００５３】
ＥＰＧデータエリア１７４は、現在放送中又は放送する予定の各番組に関する情報で構成されるＥＰＧ（Electronic Program Guide：電子番組ガイド）に基づく番組データを格納するためのデータテーブルである。
【００５４】
例えば図３にそのデータ構成例を示すように、ＥＰＧデータエリア１７４の各番組データは、番組の開始時刻、終了時刻、チャンネル番号（「チャンネル」）、番組名、ジャンル及び説明情報（「情報」）等の項目（以下、これらを包括的に番組データ項目と呼ぶ。）を有している。
【００５５】
この場合、番組データは予め所定の方法により取得され、メモリ部１７ＡのＥＰＧデータエリア１７４へ格納されるようになされている。
例えば、地上波デジタル放送の放送波に含めて配信される所定の信号に基づき番組データを取得することや、録画再生機１に内蔵するネットワークインタフェース部（図示せず。）を用いて、ＥＰＧに基づく番組データの提供を行う所定のサーバに対して所定のネットワークを介してアクセスし、番組データをダウンロードすることが可能であり、録画再生機１のＣＰＵ１０は、かかる取得の動作を、例えば後述するメイン処理（図６）のステップＡ２３において行うようになされている。
【００５６】
予約データエリア１７５は、録画予約に係る番組のデータ（以下、予約データと呼ぶ。）を格納するためのデータテーブルである。例えば図４にそのデータ構成例を示すように、予約データは番組データと同様の番組データ項目を有している。本実施の形態においては、ＣＰＵ１０がＥＰＧデータエリア１７４から１つの番組データを予約データエリア１７５へコピーすることにより、１つの予約データを生成するようになされている。
【００５７】
録画データエリア１７６は、音声映像記録部１５の各音声映像データに係る番組名等の管理情報でなるデータ（以下、録画データと呼ぶ。）を格納するためのデータテーブルである。
【００５８】
例えば図５にそのデータ構成例を示すように、録画データは、番組データ及び予約データと同様の番組データ項目と、対応する音声映像データのファイル番号を表す項目「音声映像データＩＤ」と、ユーザがその音声映像データを視聴済であるか未視聴であるかを表す項目「視聴フラグ」とを有している。
【００５９】
この場合、録画が行われ音声映像データが新規に作成される際に、ＣＰＵ１０が当該音声映像データに対応付けて新規に録画データを作成し、その録画データの番組データ項目に番組データ又は予約データの番組データ項目をコピーするようになされている。
【００６０】
メイン処理プログラム１７ｃは、録画再生機１の全体動作の処理であるメイン処理に係るプログラムである。録画再生機１の電源が投入されると、ＣＰＵ１０は、所定の初期プログラムにより、まずこのメイン処理プログラム１７ｃを実行することにより、本実施の形態のメイン処理を開始し、以降、電源が切断されるまでの間このメイン処理を行うようになされている。
【００６１】
また、ＣＰＵ１０はこのメイン処理における必要に応じて、視聴処理プログラム１７ｄ、録画設定処理プログラム１７ｅ、第１の録画処理プログラム１７ｆ、第１の再生処理プログラム１７ｇ及びチャンネル変更処理プログラム１７ｉを実行することにより、ユーザのＴＶ視聴に係る視聴処理、録画予約に係る録画設定処理、本実施の形態の録画動作に係る第１の録画処理、本実施の形態の再生動作に係る第１の再生処理及びユーザのチャンネル変更の操作に係るチャンネル変更処理を行うようになされている。
【００６２】
更にＣＰＵ１０は、第１の再生処理における必要に応じて、録画データ表示処理プログラム１７ｈを実行することにより、録画データの内容を表示する録画データ表示処理を行うようになされている。
【００６３】
次に、かかる録画再生機１において、ＣＰＵ１０がこれら各処理プログラムを実行することにより実現される動作について、図６〜図１８に示すフローチャートを用いて詳細に説明する。
【００６４】
図６は、本実施の形態の録画再生機１のメイン処理を表したフローチャートである。録画再生機１の電源が投入されると、ＣＰＵ１０は、メモリ部１７Ａのメイン処理プログラム１７ｃを実行することにより本実施の形態のメイン処理を開始し、以降、電源が切断されるまでの間このメイン処理を行う。
【００６５】
このメイン処理において、ＣＰＵ１０はまず、録画再生機１の初期化（イニシャライズ）を行う（ステップＡ１１）。具体的には、録画再生機１の各種機能の設定を初期化する。本実施の形態においては、ＣＰＵ１０はかかる初期化の１つとして、フラグ変数部１７１の各フラグ変数のクリア（値を０とすること）を行う。
【００６６】
そしてそれ以降、ＣＰＵ１０は、視聴処理（ステップＡ１３）、録画設定処理（ステップＡ１５）、録画処理（ステップＡ１７）、再生処理（ステップＡ１９）、チャンネル変更処理（ステップＡ２１）及びその他の処理（ステップＡ２３）を行いステップＡ１３へ移行する。即ちＣＰＵ１０は、本処理を開始すると電源が切断されるまでの間、このステップＡ１３〜Ａ２３を繰り返し行う。
【００６７】
この場合、ステップＡ１３〜Ａ２１の各処理は、後に詳述するように、所定のスイッチがオンされた場合に録画再生機１を所定の動作モードへ移行する処理と、所定の動作モードにおいて行われる処理とで構成されている。従って、本処理は全体として、繰り返し行われるステップＡ１３〜Ａ２３の中で所定の操作を並列的に待ち受けるような処理となっている。
【００６８】
また、本実施の形態の場合、ＣＰＵ１０は、ステップＡ１７の録画処理として、後に図１１〜図１４を用いて詳述する第１の録画処理を、ステップＡ１９の再生処理として、後に図１５〜図１８を用いて詳述する第１の再生処理を、それぞれ行う。
【００６９】
また、ステップＡ２３においてＣＰＵ１０は、ＥＰＧデータエリア１７４の番組データの更新を行うこととする。この場合、例えば、ステップＡ２３は、番組データの受信に成功するとＥＰＧデータエリア１７４を更新する旨の一連の処理を含んでおり、番組データが定期的に配信される度に、ＣＰＵ１０は番組データの受信に成功してＥＰＧデータエリア１７４の番組データを更新する。
【００７０】
次に、本実施の形態の視聴処理について、これをフローチャートで表した図７を用いて詳細に説明する。ＣＰＵ１０は、上述のメイン処理において、メモリ部１７Ａの視聴処理プログラム１７ｄを実行することにより、同図に示す視聴処理を行う。
【００７１】
視聴処理を開始すると、まずＣＰＵ１０は、視聴スイッチ１２１がオンされたか否かを判別する（ステップＢ１１）。
視聴スイッチ１２１がオンされた場合（ステップＢ１１：Ｙｅｓ）、ＰＬＡＹＦが０である、即ち録画再生機１が再生準備モードでないならば（ステップＢ１３：Ｙｅｓ）、ＣＰＵ１０は、まずＳＩＣＨＯＦを１としてＴＶ視聴モードへ移行する（ステップＢ１５）。
【００７２】
そしてＣＰＵ１０は、ＴＶ回路部１３からの出力が表示部１６１及びスピーカ１６２を介して出力されるよう、音声映像出力部１６を切替制御し（ステップＢ１７）、更に表示部１６１及びスピーカ１６２を起動して本処理を終了する（ステップＢ１９）。
【００７３】
因みにこの場合、録画再生機１は、ＴＶ視聴モードへ移行した状態で本処理を終了するから、ＣＰＵ１０は、再び本処理を開始するとステップＢ２３以降を行う（ステップＢ１１（Ｎｏ）→Ｂ２１（Ｙｅｓ）→Ｂ２３）。
【００７４】
一方、ステップＢ１３において録画再生機１が再生準備モードならば（ステップＢ１３：Ｎｏ）、ＣＰＵ１０は何ら行わず本処理を終了する。即ち、再生準備モード中に視聴スイッチ１２１が押下操作された場合、当該押下操作を無視し、ＴＶ視聴モードへ移行することなく本処理を終了する。
【００７５】
ステップＢ１１において、視聴スイッチ１２１がオンされていない場合（ステップＢ１１：Ｎｏ）、ＣＰＵ１０は、ＳＩＣＨＯＦが１、即ち録画再生機１がＴＶ視聴モードであるか否かを判別する（ステップＢ２１）。
【００７６】
録画再生機１がＴＶ視聴モードである場合（ステップＢ２１：Ｙｅｓ）、再生準備モードでなければ（ステップＢ２３：Ｙｅｓ）、ＣＰＵ１０は、ＴＶ回路部１３からの映像データ及び音声データを表示部１６１及びスピーカ１６２へ出力して本処理を終了する（ステップＢ２５及びＢ２７）。ステップＢ２３において再生準備モードの場合（ステップＢ２３：Ｎｏ）、即ちＴＶ視聴モードの状態で再生準備モードへ移行したような場合、映像データ及び音声データの出力を行わない。
【００７７】
因みにこの場合、録画再生機１は、ＴＶ視聴モードで本処理を終了するから、ＣＰＵ１０は、再び本処理を開始するとステップＢ２３以降を行う（ステップＢ１１（Ｎｏ）→Ｂ２１（Ｙｅｓ）→Ｂ２３）。即ち、上述のステップＢ２３〜Ｂ２７が繰り返し行われることにより、ＴＶ回路部１３からの信号が表示部１６１及びスピーカ１６２から出力され続ける。
【００７８】
一方、ステップＢ２３において録画再生機１が再生準備モードならば（ステップＢ２３：Ｎｏ）、ＣＰＵ１０は何ら行わず本処理を終了する。即ち、録画再生機１がＴＶ視聴モード中に再生準備モードへ移行した場合は、再生準備モードが終了するまでの間ＴＶ回路部１３からの信号の出力を停止する。
【００７９】
ステップＢ２１において、録画再生機１がＴＶ視聴モードでない場合（ステップＢ２１：Ｎｏ）、ＣＰＵ１０は何ら行わず本処理を終了する。
【００８０】
かくして本処理によれば、ユーザは視聴スイッチ１２１をオンして録画再生機１をＴＶ視聴モードへ切替え、ＴＶ視聴を行うことができる。
【００８１】
次に、本実施の形態のチャンネル変更処理について、これをフローチャートで表した図８を用いて詳細に説明する。ＣＰＵ１０は、上述のメイン処理において、メモリ部１７Ａのチャンネル変更処理プログラム１７ｉを実行することにより、同図に示すチャンネル変更処理を行う。
【００８２】
チャンネル変更処理を開始すると、まずＣＰＵ１０は、チャンネル指定キー部１２ｃ等によるチャンネル変更の操作（以下、チャンネル変更操作と呼ぶ。）がなされたか否かを判断し（ステップＢ３１）、なされていなければ（ステップＢ３１：Ｎｏ）本処理を終了する。
【００８３】
チャンネル変更操作がなされた場合（ステップＢ３１：Ｙｅｓ）、ＣＰＵ１０は、そのチャンネル変更操作がビデオ回路部１４において受信中のチャンネルである録画チャンネルに対してなされたものであるか否かを判別する（ステップＢ３３）。
【００８４】
チャンネル変更操作が録画チャンネルに対してなされたものである場合（ステップＢ３３：Ｙｅｓ）、ＣＰＵ１０は、録画モードでない場合に限り、そのチャンネル変更操作に係るチャンネルである変更チャンネルをメモリ部１７Ａの録画チャンネル１７２へ格納して本処理を終了する（ステップＢ３５及びＢ３７）。即ち録画モード中のチャンネル変更操作を受け付けない。
【００８５】
一方、チャンネル変更操作が録画チャンネルに対してなされたものでない場合（ステップＢ３３：Ｎｏ）、即ち、これはＴＶ回路部１３において受信中のチャンネルに対してチャンネル変更操作がなされたことを意味しており、このときＣＰＵ１０は、変更チャンネルをメモリ部１７Ａの視聴チャンネル１７３へ格納して本処理を終了する（ステップＢ３９）。
【００８６】
かくして本処理によれば、ＴＶ回路部１３において受信中のチャンネルが変更されると視聴チャンネル１７３へ、録画モード中でないときに録画チャンネルが変更されると録画チャンネル１７２へ、それぞれ変更チャンネルが格納される。
【００８７】
次に、本実施の形態の録画設定処理について、これをフローチャートで表した図９及び図１０を用いて詳細に説明する。ＣＰＵ１０は、上述のメイン処理において、メモリ部１７Ａの録画設定処理プログラム１７ｅを実行することにより、図９及び図１０に示す録画設定処理を行う。
【００８８】
録画設定処理を開始すると、まずＣＰＵ１０は、録画予約スイッチ１２２がオンされたか否かを判別する（ステップＣ１１）。
録画予約スイッチ１２２がオンされた場合（ステップＣ１１：Ｙｅｓ）、ＣＰＵ１０は、ステップＣ１３へ移行する。
【００８９】
ここでＣＰＵ１０は、ＲＥＣＦ、ＰＬＡＹＦ及びＴＡＩＫＩＦが何れも０である、即ち録画再生機１が録画モード、再生準備モード及び録画待機モードの何れでもないか否かを判別し（ステップＣ１３）、録画再生機１が録画モード、再生準備モード及び録画待機モードの何れでもない場合（ステップＣ１３：Ｙｅｓ）、ＰＲＧＦを１として録画再生機１を予約モードへ移行する（ステップＣ１５）。
【００９０】
次いでＣＰＵ１０は、表示部１６１が稼動していなければこれを起動し（ステップＣ１７及びＣ１９）、バス１１を介したＣＰＵ１０側の回路からの出力が表示部１６１及びスピーカ１６２を介して出力されるよう、音声映像出力部１６を切替制御する（ステップＣ２１）。次いでＣＰＵ１０は、メモリ部１７ＡのＥＰＧデータエリア１７４を参照し、ＥＰＧデータエリア１７４の番組データに基づくＥＰＧ番組表を表示部１６１へ表示して本処理を終了する（ステップＣ２３）。
【００９１】
この場合、ＥＰＧ番組表は、例えば図２０に示すような、ＥＰＧデータエリア１７４の各ＥＰＧデータを、時間軸及びチャンネル番号の軸を有する一覧表状に表した表ｘ１となっている。この表においては、放送チャンネル及び時間帯で区切られて表される１つの「枠」（例えば、枠ｘ１１）が１つの番組に対応し、即ち、ＥＰＧデータエリア１７４の１つの番組データに対応している。
【００９２】
また、同図に示すように、このＥＰＧ番組表ｘ１は、番組を選択するためのカーソルｘ１２を備え、ユーザがＥＰＧ番組表ｘ１上でこのカーソルｘ１２を、カーソルキー部１２ａを用いて移動させる等の操作を適宜行うことにより番組を選択できるようになされている。
【００９３】
因みに、ＣＰＵ１０がステップＣ２３を処理して本処理を終了すると、録画再生機１は予約モードで本処理を終了することとなるから、再び本処理を開始すると、ＣＰＵ１０はステップＣ３３（図１０）以降を行う（ステップＣ１１（Ｎｏ）→Ｃ２１（Ｙｅｓ）→Ｃ３３）。
【００９４】
一方ステップＣ１３（図９）において、録画再生機１が録画モード、再生準備モード又は録画待機モードの何れかである場合（ステップＣ１３：Ｎｏ）、ＣＰＵ１０は本処理を終了する。即ち、録画モード、再生準備モード又は録画待機モードの何れかである場合は、録画予約スイッチ１２２がオンされても予約モードへ移行しない。
【００９５】
また、ステップＣ１１において、録画予約スイッチ１２２がオンされていない場合（ステップＣ１１：Ｎｏ）、ＣＰＵ１０は、ステップＣ３１（図１０）へ移行する。
【００９６】
そして図１０に示すように、ステップＣ３１へ移行するとＣＰＵ１０は、ＰＲＧＦが１、即ち録画再生機１が予約モードであるか否かを判別する（ステップＣ３１）。
録画再生機１が予約モードである場合（ステップＣ３１：Ｙｅｓ）、ＣＰＵ１０は、ＥＰＧ番組表ｘ１（図２０）を表示した状態で、ステップＣ３３へ移行する。
【００９７】
ＣＰＵ１０はステップＣ３３へ移行すると、カーソルキー部１２ａ等による番組選択の操作がなされたか否かを判断し（ステップＣ３３）、なされていなければ（ステップＣ３３：Ｎｏ）決定スイッチ１２ｂがオンされたか否かを判断し（ステップＣ３７）、なされていなければ（ステップＣ３７：Ｎｏ）予約解除スイッチ１２３がオンされたか否かを判断し（ステップＣ４３）、なされていなければ（ステップＣ４３：Ｎｏ）本処理を終了する。
【００９８】
そしてこの場合、録画再生機１は予約モードで本処理を終了することとなるから、再び本処理を開始すると、ＣＰＵ１０はステップＣ３３以降を行う（ステップＣ１１（Ｎｏ）→Ｃ２１（Ｙｅｓ）→Ｃ３３）。従ってＣＰＵ１０は、ユーザにより録画対象の番組が選択されるのを待ち受ける（以下、この待ち受けを番組選択待ち受けと呼ぶ。）。
【００９９】
この番組選択待ち受けにおいて、番組選択の操作がなされると（ステップＣ３３：Ｙｅｓ）、ＣＰＵ１０は、当該操作に応じてＥＰＧ番組表ｘ１上のカーソルｘ１２を移動させて、１つの番組を選択する（ステップＣ３５）。
【０１００】
また、この番組選択待ち受けにおいて、決定スイッチ１２ｂがオンされると（ステップＣ３７：Ｙｅｓ）、ＣＰＵ１０は、ＥＰＧ番組表ｘ１上において選択されている番組としてカーソルｘ１２が表示されている番組に対応する番組データ（以下、選択番組データと呼ぶ。）を、メモリ部１７Ａの予約データエリア１７５へストアする（ステップＣ３９）。即ちＣＰＵ１０は、選択番組データを予約データエリア１７５の新たな予約データとしてコピーする。
【０１０１】
そしてＣＰＵ１０は、ＴＡＩＫＩＦを１として録画再生機１を録画待機モードへ移行する。従って、この番組選択待ち受けにおいて決定スイッチ１２ｂをオンする操作（以下、録画予約確定と呼ぶ。）が一度以上行われると、録画再生機１は録画待機モードへ移行する。
【０１０２】
また、この番組選択待ち受けにおいて、予約解除スイッチ１２３がオンされると（ステップＣ４３：Ｙｅｓ）、ＣＰＵ１０はまずＰＲＧＦを０として、予約モードを終了する。
【０１０３】
そしてＣＰＵ１０は、ＴＶ回路部１３からの出力が表示部１６１及びスピーカ１６２を介して出力されるよう音声映像出力部１６を切替制御し（ステップＣ４７）、ＳＩＣＨＯＦが０でない、即ち録画再生機１がＴＶ視聴モードであるならば表示部１６１を停止させて本処理を終了する（ステップＣ４９及びＣ５１）。
【０１０４】
このように、この番組選択待ち受けは予約解除スイッチ１２３がオンされるまで行われ、その間、録画予約確定が行われる度、選択された番組に対応する番組データが新たな予約データとして予約データエリア１７５へコピーされる。
【０１０５】
かくして本処理によれば、ユーザは録画予約スイッチ１２２をオンして録画再生機１を予約モードへ切替え、ＥＰＧ番組表ｘ１上において録画予約に係る番組の録画予約確定を行うことができる。
【０１０６】
次に、本実施の形態の録画処理である第１の録画処理について、これをフローチャートで表した図１１〜図１４を用いて詳細に説明する。ＣＰＵ１０は、上述のメイン処理（図６）のステップＡ１７において、メモリ部１７Ａの第１の録画処理プログラム１７ｆを実行することにより、図１１〜図１４に示す第１の録画処理を行う。
【０１０７】
第１の録画処理を開始すると、まずＣＰＵ１０は、録画スイッチ１２４がオンされたか否かを判別する（ステップＤ１１）。
録画スイッチ１２４がオンされた場合（ステップＤ１１：Ｙｅｓ）、ＣＰＵ１０は、ステップＤ１３へ移行する。
【０１０８】
ここでＣＰＵ１０は、ＰＲＧＦ、ＲＥＣＦ及びＰＬＡＹＦが何れも０である、即ち録画再生機１が予約モード、録画モード及び再生準備モードの何れでもないか否かを判別し（ステップＤ１３）、録画再生機１が予約モード、録画モード及び再生準備モードの何れでもない場合（ステップＤ１３：Ｙｅｓ）、ビデオ回路部１４を起動する（ステップＤ１５）。
【０１０９】
次いでＣＰＵ１０は、現時刻及び録画チャンネル１７２に基づいて、メモリ部１７ＡのＥＰＧデータエリア１７４から、対応する番組データを取得する（ステップＤ１７）。この場合ＣＰＵ１０は、まず計時部１８より現時刻を取得し、録画チャンネル１７２に対応する番組データのうち、例えば現時刻において放送中の番組に対応するものをＥＰＧデータエリア１７４から取得する。
【０１１０】
次いでＣＰＵ１０は、取得した番組データを、録画データエリア１７６へストアする（ステップＤ１９）。この場合ＣＰＵ１０は、録画データエリア１７６において録画データを新規に作成し、その録画データ（以下、新規録画データと呼ぶ。）の番組データ項目に、ＥＰＧデータエリア１７４から取得した番組データをコピーする。
【０１１１】
次いでＣＰＵ１０は、表示部１６１が稼動しているか否かを判別する（ステップＤ２１）。この場合ＣＰＵ１０は、音声映像出力部１６を介して表示部１６１が稼動しているか否かを判別することが可能である。
【０１１２】
表示部１６１が稼動している場合（ステップＤ２１：Ｙｅｓ）、ＣＰＵ１０は、メモリ部１７Ａの視聴チャンネル１７３と録画チャンネル１７２とが同じ値であるか否かを判別する（ステップＤ２３）。
【０１１３】
視聴チャンネル１７３と録画チャンネル１７２とが同じ値である場合（ステップＤ２３：Ｙｅｓ）、ＣＰＵ１０は、録画データエリア１７６の対応する録画データに視聴済の旨のデータを付加する（ステップＤ２５）。この場合、新規録画データの視聴フラグを「視聴済」とする。
【０１１４】
一方、表示部１６１が稼動していない場合（ステップＤ２１：Ｎｏ）、及び、表示部１６１が稼動していても視聴チャンネル１７３と録画チャンネル１７２とが同じ値でない場合（ステップＤ２３：Ｎｏ）、ＣＰＵ１０は、録画データエリア１７６の対応する録画データに未視聴の旨のデータを付加する（ステップＤ２７）。この場合、新規録画データの視聴フラグを「未視聴」とする。
【０１１５】
即ちＣＰＵ１０は、表示部１６１に表示しているチャンネルと同じチャンネルの番組を録画する、言い換えれば録画するチャンネルと同じチャンネルを表示部１６１に表示する場合、かかる録画により「既に視聴された」音声映像データを生成するから、視聴済であること表す値「視聴済」を、一方、そうでない場合、生成される音声映像データが未視聴であることを表す値「未視聴」を、それぞれ新規録画データの視聴フラグの値として記録する。
【０１１６】
このようにＣＰＵ１０は、録画するチャンネルと同じチャンネルを表示部１６１に表示するか否かに応じて、視聴済であるか未視聴であるか（以下、視聴状態と呼ぶ。）を表す値を決定し、録画データの視聴フラグとして記録する。
【０１１７】
次いでＣＰＵ１０は、音声映像記録部１５に空の音声映像データ（以下、新規音声映像データと呼ぶ。）を新たに作成し、この新規音声映像データの識別子である、例えばファイル番号を、新規録画データの音声映像データＩＤとして記録する（ステップＤ２９）。
【０１１８】
次いでＣＰＵ１０は、ＲＥＣＦを１として録画再生機１を録画モードへ移行し（ステップＤ３１）、ＴＡＩＫＩＦを１として録画再生機１を録画待機モードへ移行し（ステップＤ３３）、ステップＤ６１（図１３）へ移行する。
【０１１９】
また、ステップＤ１３において録画再生機１が予約モード、録画モード又は再生準備モードの何れかである場合（ステップＤ１３：Ｎｏ）、ＣＰＵ１０は本処理を終了する。即ち、予約モードや録画モードや再生準備モードである場合は、録画スイッチ１２４がオンされても、かかる操作を無視し、録画に係る処理等を新たには何ら行わない。
【０１２０】
なお、この場合、録画スイッチ１２４のオン操作を無視することにより予約モードや録画モードや再生準備モードにおける動作を優先するようにしているが、このようにする替わりに、例えばステップＤ１３において、録画スイッチ１２４のオン操作がなされるとＰＲＧＦ、ＲＥＣＦ及びＰＬＡＹＦを全て０として予約モード、録画モード及び再生準備モードを強制的に終了するようにして、録画スイッチ１２４のオン操作に係る動作を優先するようにしても良い。
【０１２１】
また、ステップＤ１１において録画スイッチ１２４がオンされていない場合（ステップＤ１１：Ｎｏ）、ＣＰＵ１０はステップＤ４１（図１２）へ移行する。
【０１２２】
そして図１２に示すように、ステップＤ４１へ移行するとＣＰＵ１０は、ＴＡＩＫＩＦが１、即ち録画再生機１が録画待機モードであるか否かを判別する（ステップＤ４１）。
録画再生機１が録画待機モードである場合（ステップＤ４１：Ｙｅｓ）、ＣＰＵ１０は、計時部１８を介して現時刻を取得する（ステップＤ４３）。
【０１２３】
次いでＣＰＵ１０は、ＲＥＣＦが０である、即ち録画再生機１が録画モードでないか否かを判別し（ステップＤ４５）、録画再生機１が録画モードである場合（ステップＤ４５：Ｎｏ）、ＣＰＵ１０はステップＤ８１（図１４）へ移行する。
【０１２４】
一方、録画再生機１が録画モードでない場合（ステップＤ４５：Ｙｅｓ）、ＣＰＵ１０は、予約データエリア１７５に予約データがあるか否かを判別する（ステップＤ４７）。
【０１２５】
予約データエリア１７５に予約データがある場合（ステップＤ４７：Ｙｅｓ）、ＣＰＵ１０は、開始時刻が現時刻である予約データが予約データエリア１７５にあるか否かを判別し（ステップＤ４９）、開始時刻が現時刻である予約データがある場合（ステップＤ４９：Ｙｅｓ）、かかる予約データ（以下、開始予約データと呼ぶ。）の番組データ項目を録画データエリア１７６へストアする（ステップＤ５１）。
【０１２６】
この場合ＣＰＵ１０は、録画データエリア１７６において録画データを新規に作成し、その録画データである新規録画データの番組データ項目に、開始予約データの番組データ項目をコピーする。
【０１２７】
次いでＣＰＵ１０は、録画チャンネル１７２に番組データ項目中のチャンネル番号を格納して（ステップＤ５３）、ビデオ回路部１４を起動し（ステップＤ５５）、ビデオチューナ１４１に録画チャンネル１７２を供給し、録画チャンネル１７２の放送波を受信するように制御する（ステップＤ５７）。
【０１２８】
そしてＣＰＵ１０はステップＤ２１（図１１）へ移行し、表示部１６１に表示しているチャンネルと同じチャンネルの番組を録画する場合の録画データの視聴フラグを「視聴済」とし、そうでない場合の録画データの視聴フラグを「未視聴」とする処理（ステップＤ２１〜Ｄ３１）を行ってステップＤ６１（図１３）へ移行する。
【０１２９】
一方、ステップＤ４９において予約データエリア１７５に、開始時刻が現時刻である予約データがない場合（ステップＤ４９：Ｎｏ）、本処理を終了する。
即ち録画再生機１は、録画モードでない録画待機モードであり、かつ予約データエリア１７５に予約データがある状態の場合、本処理において何れかの予約データの開始時刻が到来するのを待つように動作する。
【０１３０】
また、予約データエリア１７５に予約データがない場合（ステップＤ４５：Ｎｏ）や、録画再生機１が録画待機モードでない場合（ステップＤ４１：Ｎｏ）、ＣＰＵ１０は本処理を終了する。
【０１３１】
次に、図１３に示すステップＤ６１〜Ｄ６５について説明する。
ステップＤ６１へ移行するとＣＰＵ１０は、ＲＥＣＦが１、即ち録画再生機１が録画モードであるか否かを判別する（ステップＤ６１）。
【０１３２】
録画再生機１が録画モードでない場合（ステップＤ６１：Ｎｏ）本処理を終了する。因みにこれは、録画データの終了時刻が到来する以前に録画モードを終了する操作がなされた場合の処理であり、この場合ＣＰＵ１０は、新たに録画スイッチ１２４がオンされない限り、録画動作を行うことなく録画データの終了時刻が到来するのを待ち受ける。
【０１３３】
一方、ステップＤ６１において録画再生機１が録画モードである場合（ステップＤ６１：Ｙｅｓ）、ＣＰＵ１０は、ビデオ回路部１４から出力される映像データを音声映像記録部１５へストアし（ステップＤ６３）、音声データを音声映像記録部１５へストアして本処理を終了する（ステップＤ６５）。この場合ＣＰＵ１０は、ストアされた映像データ及び音声データを、新規音声映像データに追加記録するように制御する。
【０１３４】
因みにこの場合、録画再生機１は録画待機モード及び録画モードで本処理を終了するから、再び本処理を開始すると、ＣＰＵ１０はステップＤ８１（図１４）以降を行う（ステップＤ１１（Ｎｏ）→Ｄ４１（Ｙｅｓ）→Ｄ４５（Ｎｏ）→Ｄ８１）。
【０１３５】
そして図１４に示すように、ステップＤ８１へ移行するとＣＰＵ１０は、録画データの終了時刻と現時刻とが等しいか否かを判別する（ステップＤ８１）。この場合ＣＰＵ１０は、新規録画データの終了時刻とステップＤ４３において取得した現時刻とが等しいか否か、即ち、新規録画データの終了時刻が到来したか否かを判別する。
【０１３６】
録画データの終了時刻と現時刻とが等しい場合（ステップＤ８１：Ｙｅｓ）、ＣＰＵ１０は、ＲＥＣＦ及びＴＡＩＫＩＦを０とする（ステップＤ８３）。即ち録画モード及び録画待機モードを終了する。
次いでＣＰＵ１０は、ビデオ回路部１４を停止する（ステップＤ８５）。
【０１３７】
そしてＣＰＵ１０は、対応する予約データを消去して本処理を終了する（ステップＤ８７）。即ち、新規音声映像データに対応する開始予約データがある場合、当該予約データを予約データエリア１７５から消去する。
【０１３８】
一方、ステップＤ８１において録画データの終了時刻と現時刻とが等しくない場合（ステップＤ８１：Ｎｏ）、ＣＰＵ１０はステップＤ６１（図１３）へ移行し、映像データ及び音声データを音声映像記録部１５の新規音声映像データに追加記録する処理（ステップＤ６１〜Ｄ６５）を行って本処理を終了する。
【０１３９】
従ってＣＰＵ１０は、新規録画データの終了時刻が到来するまでの間、映像データ及び音声データを音声映像記録部１５の新規音声映像データに次々追加記録していくことにより１つの音声映像データを作成する録画の制御を行う。
【０１４０】
かくして本処理によれば、録画再生機１は、録画スイッチ１２４がオンされるか、又は、何れかの予約データの開始時刻が到来すると、録画モードへ移行し、番組の終了時刻が到来するまでの間、映像データ及び音声データを音声映像記録部１５の新規音声映像データに次々追加記録していく録画動作を示す。
【０１４１】
そして録画モードへ移行する際は、新規音声映像データに対応する録画データである新規録画データが録画データエリア１７６に作成され、その録画データには、表示部１６１に表示しているチャンネルと同じチャンネルの番組が録画される場合、音声映像データが視聴済である旨としての「視聴済」の視聴フラグが記録され、一方そうでない場合、音声映像データが未視聴である旨としての「未視聴」の視聴フラグが記録される。
【０１４２】
次に、本実施の形態の再生処理である第１の再生処理について、これをフローチャートで表した図１５〜図１８を用いて詳細に説明する。ＣＰＵ１０は、上述のメイン処理（図６）のステップＡ１９において、メモリ部１７Ａの第１の再生処理プログラム１７ｇを実行することにより、図１５〜図１８に示す第１の再生処理を行う。
【０１４３】
第１の再生処理を開始すると、まずＣＰＵ１０は、再生スイッチ１２６がオンされたか否かを判別する（ステップＥ１１）。
再生スイッチ１２６がオンされた場合（ステップＥ１１：Ｙｅｓ）、ＣＰＵ１０はステップＥ１３へ移行する。
【０１４４】
ここでＣＰＵ１０は、ＲＥＣＦ及びＴＡＩＫＩＦが何れも０であるか否か、即ち録画再生機１が録画モード又は録画待機モードの何れでもないか否かを判別し（ステップＥ１３）、録画再生機１が録画モード又は録画待機モードの何れかである場合（ステップＥ１３：Ｎｏ）、本処理を終了する。即ち、録画モード又は録画待機モードの何れかである場合は、再生スイッチ１２６がオンされても再生準備モードへ移行せず、音声映像データの再生に係る処理は何ら行われない。
【０１４５】
一方、録画再生機１が録画モード又は録画待機モードの何れでもない場合（ステップＥ１３：Ｙｅｓ）、ＰＬＡＹＦを１として再生準備モードへ移行する（ステップＥ１５）。
【０１４６】
次いでＣＰＵ１０は、表示部１６１が稼動していなければこれを起動し（ステップＥ１７及びＥ１９）、バス１１を介したＣＰＵ１０側の回路からの出力が表示部１６１及びスピーカ１６２を介して出力されるよう、音声映像出力部１６を切替制御する（ステップＥ２１）。
【０１４７】
次いでＣＰＵ１０は、録画データエリア１７６に録画データがあるか否かを判別し（ステップＥ２３）、録画データがない場合（ステップＥ２３：Ｎｏ）、即ちこれは音声映像記録部１５に音声映像データがないことを意味するから、音声映像データがない旨の警告を示した画面（例えば図２１に示す警告表示画面）を一定時間表示して（ステップＥ２５）、ステップＥ６３（図１７）へ移行する。
【０１４８】
一方、ステップＥ２３において、録画データエリア１７６に録画データがある場合（ステップＥ２３：Ｙｅｓ）、ＣＰＵ１０は、メモリ部１７Ａの録画データエリア１７６から録画データの１つとして、例えば最初の録画データを取得し（ステップＥ２７）、この取得した録画データについての情報を表示する録画データ表示処理を行ってステップＥ３１（図１６）へ移行する（ステップＥ２９）。
【０１４９】
この場合ＣＰＵ１０は、後述する録画データ表示処理（図１８）を行うことにより、例えば図２２に示すような、取得した録画データ（以下、取得中録画データと呼ぶ。）についての情報を示す録画データ表示画面ｘ３を表示する。
【０１５０】
同図に示すように、この録画データ表示画面ｘ３は、取得中録画データの番組データ及び視聴フラグをそれぞれ表す番組内容表示ｘ３１及び視聴情報表示ｘ３２を備えて構成されている。また、この録画データ表示画面ｘ３においては、取得中録画データの次や前の録画データについての情報が取得可能である旨の表示「次へ」ｘ３３や「前へ」ｘ３４が設けられ、例えばカーソルキー部１２ａによる所定の操作に応じて取得中録画データとは別の録画データについての情報を表示するようになされている。
【０１５１】
また、ステップＥ１１において再生スイッチ１２６がオンされていない場合（ステップＥ１１：Ｎｏ）、ＣＰＵ１０はステップＥ３１（図１６）へ移行する。
【０１５２】
そして図１６に示すように、ステップＥ３１へ移行するとＣＰＵ１０は、ＰＬＡＹＦが１、即ち録画再生機１が再生準備モードであるか否かを判別する（ステップＥ３１）。
【０１５３】
録画再生機１が再生準備モードでない場合（ステップＥ３１：Ｎｏ）、ＣＰＵ１０は本処理を終了する。即ち、本処理においてＣＰＵ１０は、再生スイッチ１２６がオンされた場合及び再生準備モードである場合以外は、音声映像データの再生に係る処理を実質何ら行わない。
【０１５４】
一方、録画再生機１が再生準備モードである場合（ステップＥ３１：Ｙｅｓ）、ＣＰＵ１０は、ＳＴＡＲＴＦが０である、即ち録画再生機１が再生動作モードでないか否かを判別し（ステップＥ３３）、録画再生機１が再生動作モードである場合（ステップＥ３３：Ｎｏ）、ステップＥ７１（図１８）へ移行する。
【０１５５】
録画再生機１が再生動作モードでない場合（ステップＥ３３：Ｙｅｓ）、ＣＰＵ１０は、ステップＥ３５へ移行する。この場合ＣＰＵ１０は、取得した録画データについての録画データ表示画面ｘ３（図２２参照）を表示部１６１に表示した状態でステップＥ３５へ移行する。
【０１５６】
次いでＣＰＵ１０は、録画データエリア１７６に別の録画データがあるか否かを判別する（ステップＥ３５）。即ちＣＰＵ１０は、録画データ表示画面ｘ３にその情報を表示している取得中録画データとは別の録画データが録画データエリア１７６にあるか否かを判別する。
【０１５７】
別の録画データがある場合（ステップＥ３５：Ｙｅｓ）、ＣＰＵ１０は、別の録画データを指定する所定の操作がなされたか否かを判別する（ステップＥ３７）。即ち、録画データ表示画面ｘ３において次や前の録画データを指定する操作がなされたか否かを判別する。別の録画データを指定する操作がなされた場合（ステップＥ３７：Ｙｅｓ）、ＣＰＵ１０は、メモリ部１７Ａの録画データエリア１７６から取得中録画データとは別の、即ち操作によって指定された次又は前の録画データを取得する（ステップＥ３９）。
【０１５８】
次いでＣＰＵ１０は、この取得した録画データについて録画データ表示処理を行い、ステップＥ４３へ移行する（ステップＥ４１）。即ち、別の録画データとして取得したその録画データを新たな取得中録画データとして、録画データ表示画面ｘ３上に当該取得中録画データについての情報を表示する。
【０１５９】
一方、別の録画データを指定する操作がなされていない場合（ステップＥ３７：Ｎｏ）や、別の録画データがない場合（ステップＥ３５：Ｎｏ）、ＣＰＵ１０はステップＥ４３へ移行する。
【０１６０】
次いでＣＰＵ１０は、再生開始スイッチ１２８がオンされたか否かを判別し（ステップＥ４３）、オンされた場合（ステップＥ４３：Ｙｅｓ）、ＳＴＡＲＴＦを１として再生動作モードへ移行し（ステップＥ４５）、取得中録画データに対応する音声映像データを指定してステップＥ６１（図１７）へ移行する（ステップＥ４７）。即ち、この場合ＣＰＵ１０は、録画データの音声映像データＩＤで指定される音声映像データの、例えばアドレスを音声映像記録部１５から取得する。
【０１６１】
また、再生開始スイッチ１２８がオンされていない場合（ステップＥ４３：Ｎｏ）、ＣＰＵ１０はステップＥ６１（図１７）へ移行する。
【０１６２】
そして図１７に示すように、ステップＥ６１へ移行するとＣＰＵ１０は、再生解除スイッチ１２７がオンされたか否かを判別する（ステップＥ６１）。
再生解除スイッチ１２７がオンされていない場合（ステップＥ６１：Ｎｏ）、ＣＰＵ１０は本処理を終了する。
【０１６３】
この場合、録画再生機１は再生準備モードで本処理を終了するから、再び本処理を開始すると、ＣＰＵ１０はステップＥ３３（図１６）以降を行う（ステップＥ１１（Ｎｏ）→Ｅ３１（Ｙｅｓ）→Ｅ３３）。更に、録画再生機１が再生動作モードでない場合、ＣＰＵ１０は続けてステップＥ３５以降を行う。
【０１６４】
従って、本処理において録画再生機１は、再生準備モードへ移行すると、録画データ表示画面ｘ３を表示部１６１に表示した状態で、再生開始スイッチ１２８へのオン操作と、再生解除スイッチ１２８へのオン操作と、別の録画データがあるならば別の録画データの指定とを待ち受ける動作状態を示す（以下、この待ち受けを再生操作待ち受けと呼ぶ。）。
【０１６５】
そして、再生開始スイッチ１２８がオンされると、ＣＰＵ１０は録画再生機１を再生動作モードへ移行し、再び本処理を開始するとステップＥ７１（図１８）以降を行う（ステップＥ１１（Ｎｏ）→Ｅ３１（Ｙｅｓ）→Ｅ３３（Ｎｏ）→Ｅ７１）。
【０１６６】
また、この再生操作待ち受けにおいて再生解除スイッチ１２７がオンされた場合（ステップＥ６１：Ｙｅｓ）、及び、ステップＥ２３（図１５）において録画データがないことによりステップＥ６３へ移行してきた場合、ＣＰＵ１０は、まずＰＬＡＹＦを０として再生準備モードを終了する（ステップＥ６３）。
【０１６７】
次いでＣＰＵ１０は、ＳＩＣＨＯＦが１、即ち録画再生機１がＴＶ視聴モードであるならば（ステップＥ６５：Ｙｅｓ）、ＴＶ回路部１３からの出力が表示部１６１及びスピーカ１６２を介して出力されるよう音声映像出力部１６を切替制御し（ステップＥ６７）、一方、録画再生機１がＴＶ視聴モードでなければ表示部１６１を停止させて（ステップＥ６９）、本処理を終了する。
【０１６８】
即ち、再生開始スイッチ１２８がオンされた際にユーザがＴＶ視聴中であったか否か（表示部１６１にＴＶ回路部１３からの映像を表示していたか表示部１６１がオフであったか）に応じて、表示部１６１の状態を、再生開始スイッチ１２８がオンされる以前の状態へ戻す。
【０１６９】
このように再生操作待ち受けにおいて再生解除スイッチ１２７がオンされると、録画再生機１は再生準備モードを終了する動作を示す。
【０１７０】
次に、録画再生機１が再生動作モードの場合に行われるステップＥ７１〜Ｅ８３について、図１８を用いて説明する。
ステップＥ７１へ移行するとＣＰＵ１０は、現在指定（アドレス取得）している音声映像データに、再生すべき部分が未だあるか否かを判別する（ステップＥ７１）。
【０１７１】
音声映像データに再生すべき部分が未だある場合（ステップＥ７１：Ｙｅｓ）、ＣＰＵ１０は、まず音声映像記録部１５から音声映像データを読み出し（ステップＥ７３）、次いで音声映像データをデコードして得られる映像データである録画映像データを表示部１６１へ（ステップＥ７５）、デコードして得られる音声データである録画音声データをスピーカ１６２へ（ステップＥ７７）、それぞれ出力するよう音声映像出力部１６を制御する。
【０１７２】
次いでＣＰＵ１０は、再生停止スイッチ１２９がオンされたか否かを判別する（ステップＥ８９）。
再生停止スイッチ１２９がオンされていない場合（ステップＥ８９：Ｎｏ）、ＣＰＵ１０は本処理を終了する。
【０１７３】
因みにこの場合、再生動作モードで本処理を終了するから、ＣＰＵ１０は、再び本処理を開始するとステップＥ７１以降を行い（ステップＥ１１（Ｎｏ）→Ｅ３１（Ｙｅｓ）→Ｅ３３（Ｎｏ）→Ｅ７１）、かくして、音声映像データに再生すべき部分が未だあり（ステップＥ７１：Ｙｅｓ）、再生停止スイッチ１２９がオンされない（ステップＥ８９：Ｎｏ）限り、音声映像データを次々出力する再生の処理を行い続ける。
【０１７４】
一方、再生停止スイッチ１２９がオンされた場合（ステップＥ８９：Ｙｅｓ）、ＣＰＵ１０は、ＳＴＡＲＴＦを０として再生動作モードを終了し（ステップＥ９３）、ステップＥ２７（図１５）へ移行する。
【０１７５】
また、音声映像データに再生すべき部分がなくなった場合（ステップＥ７１：Ｎｏ）、ＣＰＵ１０はまず、その音声映像データに対応する録画データの視聴フラグを「視聴済」とする（ステップＥ９１）。即ち、再生中の音声映像データの内容を全て再生すると、ステップＥ４７において音声映像データを指定した録画データ、即ち、その音声映像データＩＤが音声映像データのファイル番号と一致する録画データの視聴フラグを「視聴済」とする。
【０１７６】
次いでＣＰＵ１０は、ＳＴＡＲＴＦを０として再生動作モードを終了し（ステップＥ９３）、ステップＥ２７（図１５）へ移行する。
【０１７７】
そして、このように再生停止スイッチ１２９がオンされ、又は、音声映像データに再生すべき部分がなくなり、再生動作モードを終了してステップＥ２７へ移行すると、ＣＰＵ１０は、ステップＥ２７及びＥ２９を経て再び再生操作待ち受けを行い、この再生操作待ち受けにおいて、別の録画データの指定、再生開始スイッチ１２８へのオン操作及び再生停止スイッチ１２９へのオン操作を待ち受ける。
【０１７８】
かくして本処理によれば、録画再生機１は、再生スイッチ１２６がオンされると再生準備モードへ移行してユーザによる録画データの指定を待ち受け、再生開始スイッチ１２８がオンされると再生動作モードへ移行して、ユーザにより指定された録画データに対応する音声映像データの再生を行う。
【０１７９】
そして、録画データの指定を待ち受ける際は、例えば録画データ表示画面ｘ３（図２２参照）を表示して、指定された録画データについての情報を表示する。
更に、１つの音声映像データを全て再生すると、音声映像データが視聴済である旨としての「視聴済」の視聴フラグを、対応する録画データに記録する。
【０１８０】
次に、本実施の形態の録画データ表示処理について、これをフローチャートで表した図１９を用いて詳細に説明する。ＣＰＵ１０は、第１の再生処理の必要に応じて（例えばステップＥ２９において）メモリ部１７Ａの録画データ表示処理プログラム１７ｈを実行することにより、同図に示す録画データ表示処理を行う。
【０１８１】
録画データ表示処理を開始すると、まずＣＰＵ１０は、本処理を行うにあたって予め取得された録画データの番組データ項目の内容を表示する（ステップＢ４１）。この場合、例えば、図２２に示す録画データ表示画面ｘ３の番組内容表示ｘ３１のように行う。
【０１８２】
そしてＣＰＵ１０は、当該録画データの視聴フラグの表示を行う。即ち、録画データの視聴フラグが「未視聴」であるならば（ステップＢ４３：「未視聴」）「未視聴」と表示し（ステップＢ４５）、視聴フラグが「視聴済」であるならば（ステップＢ４３：「視聴済」）「視聴済」と表示して（ステップＢ４７）、本処理を終了する。この場合、例えば視聴情報表示ｘ３２のように表示する。
【０１８３】
かくして本処理によれば、例えば、録画データ表示画面ｘ３における視聴情報表示ｘ３２のように、録画データの番組データ項目の内容とともに視聴フラグの内容を示し、これにより、対応する音声映像データが視聴済であるか未視聴であるかを表示する。
【０１８４】
従って、本実施の形態の再生処理である第１の再生処理によれば、ユーザは音声映像データが視聴済であるか未視聴であるかを容易に判断し、これを参考にして、視聴する音声映像データを指定し、再生することができる。
【０１８５】
〔第２の実施の形態〕
本実施の形態における録画再生機１は、第１の実施の形態における録画再生機１と同様に、図１に示す内部構成を有し、例えば、ビデオ回路部１４が受信した地上波デジタル放送の映像データ及び音声データを音声映像記録部１５へ記録する録画の動作や、音声映像記録部１５に記録された音声映像データに係る映像データ及び音声データを表示部１６１及びスピーカ１６２から出力する再生の動作等を行うことが可能であるようになされている。
【０１８６】
以下、本実施の形態における録画再生機１に特徴的な構成について詳述する。その際、上述した第１の実施の形態と同一の構成要素については同一の符号を付し、詳細な説明を省略する。
【０１８７】
図２３は、本実施の形態においてメモリ部１７として用いられるメモリ部１７Ｂの構成を示す図である。
同図に示すように、メモリ部１７Ｂはまず、第１の実施の形態におけるメモリ部１７Ａと同様のフラグ変数部１７１、録画チャンネル１７２、視聴チャンネル１７３、ＥＰＧデータエリア１７４、予約データエリア１７５、メイン処理プログラム１７ｃ、視聴処理プログラム１７ｄ、録画設定処理プログラム１７ｅ及びチャンネル変更処理プログラム１７ｉを備えて構成される。
【０１８８】
そしてメモリ部１７Ｂは、メモリ部１７Ａの録画データエリア１７６、第１の録画処理プログラム１７ｆ及び第１の再生処理プログラム１７ｇに替えて、録画データエリア１７７、第２の録画処理プログラム１７ｋ及び第２の再生処理プログラム１７ｍと、これらに加えて更に、視聴フラグエリア１７０、録画カウンタエリア１７８、再生カウンタエリア１７９及び再生リスト表示処理プログラム１７ｎとを備えて構成される。
【０１８９】
視聴フラグエリア１７０は、視聴状態を表す変数の格納領域であり、例えば、録画データの視聴フラグの値である「視聴済」又は「未視聴」が一時的に保存される。また、この視聴フラグエリア１７０においては、録画データエリア１７７の録画データの視聴フラグへ格納する値の編集が行われる。
【０１９０】
その場合、具体的には、表示部１６１に表示しているチャンネルと同じチャンネルの番組を録画している、言い換えれば録画しているチャンネルと同じチャンネルの番組を表示部１６１に表示している動作状態（以下、一致録画状態と呼ぶ。）である間、かかる状態で録画された部分は音声映像データのうち既に視聴された部分となるから、視聴フラグエリア１７０の値が「視聴済」であるように、一方、録画しているチャンネルと同じチャンネルの番組を表示していない動作状態（以下、不一致録画状態と呼ぶ。）である間は値が「未視聴」であるように、それぞれＣＰＵ１０により制御される。
【０１９１】
なお、以下の説明においては、一致録画状態であるか不一致録画状態であるか（以下、録画状態区分と呼ぶ。）に応じた視聴フラグエリア１７０の値を、録画状態区分に応じた視聴状態と呼ぶこととする。
【０１９２】
録画カウンタエリア１７８は、本実施の形態の録画処理である第２の録画処理において、録画モードへ移行した時点からの経過時間をＣＰＵ１０が計数するためのエリアである。即ちＣＰＵ１０は、この録画カウンタエリア１７８において、新規音声映像データへの録画動作が開始してからの経過時間を計数する。
【０１９３】
この場合、録画再生機１が録画モードへ移行すると、ＣＰＵ１０は録画カウンタエリア１７８の値をまず０とし、以降、録画モードが終了するまでの間、所定のタイミングで（例えば毎秒）録画カウンタエリア１７８の変数を次々インクリメントする。そのインクリメント制御は第２の録画処理と並行して行われるものとするが、処理としての図示を省略する。
【０１９４】
再生カウンタエリア１７９は、本実施の形態の再生処理である第２の再生処理において、再生動作モードへ移行した時点からの経過時間をＣＰＵ１０が計数するためのエリアである。即ちＣＰＵ１０は、この再生カウンタエリア１７９において、再生対象の音声映像データの再生動作が開始してからの経過時間を計数する。
【０１９５】
この場合もＣＰＵ１０は、録画カウンタエリア１７８における計数と同様に、録画再生機１が再生動作モードへ移行すると再生カウンタエリア１７９の値（以下、再生カウンタと呼ぶ。）をまず０とし、以降、再生動作モードが終了するまでの間、所定のタイミングで再生カウンタエリア１７９の変数を次々インクリメントする。
【０１９６】
ただしこの場合、このインクリメント制御に係るタイミングは、録画カウンタエリア１７８におけるインクリメント制御に係るタイミングと同一であり、例えば、録画カウンタエリア１７８と再生カウンタエリア１７９とについて、それぞれにおいて単位時間（例えば１分間）に行われるインクリメント回数は一致するものとする。即ち、ＣＰＵ１０は再生カウンタエリア１７９において、録画カウンタエリア１７８における計数ぶりを全く再現する。
【０１９７】
かかる事情に基づき、以下の説明においては、これら録画カウンタエリア１７８及び再生カウンタエリア１７９を区別しない場合、単にカウンタエリアと呼び、カウンタエリアの値により表した時刻をカウンタ値と呼び、カウンタエリアにおいて行われるインクリメント回数により表した経過時間をカウンタ数と呼ぶこととする。
【０１９８】
録画データエリア１７７は、第１の実施の形態の録画データエリア１７６と同様に、音声映像記録部１５の各音声映像データに係る管理情報である録画データを格納するためのデータテーブルである。
【０１９９】
例えば図２４にそのデータ構成例を示すように、録画データは、第１の実施の形態と同様の番組データ項目及び対応する音声映像データのファイル番号を表す項目「音声映像データＩＤ」に加え、その音声映像データの未視聴部分と視聴済部分とを判別するための情報である視聴フラグデータを備えて構成される。
【０２００】
この視聴フラグデータは、視聴済であるか未視聴であるかの視聴状態を表す視聴フラグと、その視聴フラグで表される各視聴状態の開始時点のカウンタ値を表す録画カウンタとを項目として備えて構成される。
【０２０１】
この場合、録画状態区分の変化時点毎に、録画カウンタエリア１７８の値が録画カウンタへ、変化後の録画状態区分に応じた視聴状態の値である視聴フラグエリア１７０の値が視聴フラグへ、それぞれ記録されることにより１つの視聴フラグデータが作成されるようになされている。従って１つの録画データはかかる視聴フラグデータを複数備え得る。
【０２０２】
また、ＣＰＵ１０が判別する録画状態区分の変化時点には録画開始時点が含まれ、従ってどの録画データも、少なくとも１つの視聴フラグデータ、即ち、録画カウンタが０である視聴フラグデータを有している。
【０２０３】
このように、音声映像データにおける、録画時に１つの録画状態区分を保った各区間（以下、状態継続区間と呼ぶ。）と、録画データの視聴フラグデータとは互いに一意に対応する。具体的には、音声映像データの状態継続区間と、その音声映像データに対応する録画データの視聴フラグデータのうち、その状態継続区間の開始時点におけるカウンタ値を録画カウンタの値とする視聴フラグデータとが対応する。
【０２０４】
かかる事情に基づき、以下の説明においては、録画カウンタが０以上の整数ｘである視聴フラグデータに対応する状態継続区間を、録画カウンタがｘの状態継続区間と呼び、また、視聴フラグが「未視聴」及び「視聴済」の視聴フラグデータに対応する状態継続区間を、それぞれ未視聴の状態継続区間及び視聴済の状態継続区間と呼ぶこととする。
【０２０５】
第２の録画処理プログラム１７ｋ及び第２の再生処理プログラム１７ｍは、録画再生機１の全体動作の処理であるメイン処理における必要に応じて実行されるプログラムである。ＣＰＵ１０は、これらを実行することにより、それぞれ、本実施の形態の録画動作に係る第２の録画処理及び本実施の形態の再生動作に係る第２の再生処理を行う。
【０２０６】
即ち、本実施の形態の場合、ＣＰＵ１０は、メイン処理（図６）のステップＡ１７の録画処理として、後述する第２の録画処理を、ステップＡ１９の再生処理として、後述する第２の再生処理を、それぞれ行う。なおＣＰＵ１０は、視聴処理（ステップＡ１３）、録画設定処理（ステップＡ１５）、チャンネル変更処理（ステップＡ２１）及びその他の処理（ステップＡ２３）については、第１の実施の形態と同様に行う。
【０２０７】
また、ＣＰＵ１０は、第２の再生処理における必要に応じて、再生リスト表示処理プログラム１７ｎを実行することにより、録画データを一覧表示する再生リスト表示処理を行う。
【０２０８】
以下、かかる録画再生機１においてＣＰＵ１０がこれら各処理プログラムを実行することにより実現される動作のうち、本実施の形態に特徴的な動作である第２の録画処理、第２の再生処理及び再生リスト表示処理について、図２５〜図３４、図１２及び図１７に示すフローチャートを用いて詳細に説明する。
【０２０９】
まず、本実施の形態の録画処理である第２の録画処理について、これをフローチャートで表した図２５〜図２７及び図１２を用いて詳細に説明する。ＣＰＵ１０は、上述のメイン処理（図６）のステップＡ１７において、メモリ部１７Ｂの第２の録画処理プログラム１７ｋを実行することにより、図２５〜図２７及び図１２に示す第２の録画処理を行う。
【０２１０】
第２の録画処理を開始すると、ＣＰＵ１０は、第１の録画処理と同様にステップＤ１１〜Ｄ２３を行う。従ってこの場合も、ステップＤ１１において録画スイッチ１２４がオンされていない場合（ステップＤ１１：Ｎｏ）、ＣＰＵ１０はステップＤ４１（図１２）へ移行し、開始時刻が到来した予約データがある場合に当該予約データに係る録画を開始する処理であるステップＤ４１〜Ｄ５７を行って、本図のステップＤ２１へ移行する。
【０２１１】
視聴チャンネル１７３と録画チャンネル１７２とが同じ値である場合（ステップＤ２３：Ｙｅｓ）、ＣＰＵ１０は、メモリ部１７Ｂの視聴フラグエリア１７０を「視聴済」とする（ステップＦ２５）。
【０２１２】
一方、表示部１６１が稼動していない場合（ステップＤ２１：Ｎｏ）、及び、表示部１６１が稼動していても視聴チャンネル１７３と録画チャンネル１７２とが同じ値でない場合（ステップＤ２３：Ｎｏ）、ＣＰＵ１０は、視聴フラグエリア１７０を「未視聴」とする（ステップＦ２７）。
【０２１３】
次いでＣＰＵ１０は、録画カウンタエリア１７８の値を０にリセットし（ステップＦ２８）、音声映像記録部１５に空の音声映像データ（新規音声映像データ）を新たに作成し、この新規音声映像データのファイル番号を新規録画データの音声映像データＩＤとして記録する（ステップＤ２９）。
【０２１４】
次いでＣＰＵ１０は、視聴フラグエリア１７０の値及び録画カウンタエリア１７８の値をメモリ部１７Ｂの録画データエリア１７７へコピーする（ステップＦ３０）。この場合、新規音声映像データに対応する録画データである新規録画データに、録画カウンタエリア１７８の値及び視聴フラグエリア１７０の値を、最初の視聴フラグデータの視聴フラグ及び録画カウンタとしてコピーする。
【０２１５】
このようにＣＰＵ１０は、まず録画の開始にあたり新規音声映像データに対応する録画データを作成し、開始時点の録画状態区分に応じた視聴状態を、当該録画データの最初の、即ち、録画カウンタが０である視聴フラグデータの視聴フラグとして記録する。
【０２１６】
次いでＣＰＵ１０は、ＲＥＣＦを１として録画再生機１を録画モードへ移行し（ステップＤ３１）、ＴＡＩＫＩＦを１として録画再生機１を録画待機モードへ移行する（ステップＤ３３）。
次いでＣＰＵ１０は、録画カウンタエリア１７８における計数を開始して、図２６のステップＤ６１へ移行する（ステップＦ３５）。
【０２１７】
図２６のステップＤ６１へ移行すると、ＣＰＵ１０は、第１の録画処理と同様にステップＤ６１〜Ｄ６５を行った後、ステップＦ６７へ移行する。
そしてステップＦ６７へ移行するとＣＰＵ１０は、音声映像出力部１６を介して表示部１６１が稼動しているか否かを判別する（ステップＦ６７）。
【０２１８】
表示部１６１が稼動している場合（ステップＦ６７：Ｙｅｓ）、ＣＰＵ１０は、視聴チャンネル１７３と録画チャンネル１７２とが同じ値であるか否かを判別する（ステップＦ６９）。
【０２１９】
視聴チャンネル１７３と録画チャンネル１７２とが同じ値である場合（ステップＦ６９：Ｙｅｓ）、ＣＰＵ１０は視聴フラグエリア１７０を参照し、視聴フラグエリア１７０が「未視聴」ならば（ステップＦ７１：Ｙｅｓ）これを「視聴済」としてステップＦ７９へ移行する（ステップＦ７３）。
【０２２０】
また、表示部１６１が稼動していない場合（ステップＦ６７：Ｎｏ）や表示部１６１が稼動していても視聴チャンネル１７３と録画チャンネル１７２とが同じ値でない場合（ステップＦ６９：Ｎｏ）、ＣＰＵ１０は視聴フラグエリア１７０を参照し、視聴フラグエリア１７０が「視聴済」ならば（ステップＦ７５：Ｙｅｓ）これを「未視聴」としてステップＦ７９へ移行する（ステップＦ７７）。
【０２２１】
即ち、ステップＦ６７〜Ｆ７７は、一致録画状態から不一致録画状態へ移行する場合、「視聴済」となっている視聴フラグエリア１７０の値を「未視聴」へ変更し、また、不一致録画状態から一致録画状態へ移行する場合、「未視聴」となっている視聴フラグエリア１７０の値を「視聴済」へ変更する処理となっている。
【０２２２】
そしてステップＦ７９へ移行すると、ＣＰＵ１０は、視聴フラグエリア１７０の値及び録画カウンタエリア１７８の値を録画データエリア１７７へコピーして本処理を終了する（ステップＦ７９）。この場合、録画カウンタエリア１７８の値及び視聴フラグエリア１７０の値を、新規録画データにおける次の視聴フラグデータの視聴フラグ及び録画カウンタとしてコピーする。
【０２２３】
このようにＣＰＵ１０は、録画状態区分が変化すると、録画カウンタの値が当該変化時点のカウンタ値である視聴フラグデータを新たに作成し、当該変化後の録画状態区分に応じた視聴状態をその視聴フラグデータの視聴フラグとして記録する。
【０２２４】
一方、ステップＦ７１において視聴フラグエリア１７０が「視聴済」である場合（ステップＦ７１：Ｎｏ）や、ステップＦ７５において視聴フラグエリア１７０が「未視聴」である場合（ステップＦ７１：Ｎｏ）、即ち、録画状態区分が変化しない場合、ＣＰＵ１０は何ら行わず本処理を終了する。
【０２２５】
そして、第１の録画処理の場合と同様に、ＣＰＵ１０は本図に示す各ステップを繰り返し行うことにより、新規録画データの終了時刻が到来するまでの間、映像データ及び音声データを音声映像記録部１５の新規音声映像データに次々追加記録して１つの音声映像データを作成していく録画の制御を行う。
【０２２６】
これに加えて本実施の形態の本処理の場合、かかる追加記録の動作の度にステップＦ６７〜Ｆ７９が行われるから、録画状態区分が変化する度に、当該変化時点のカウンタ値及び当該変化後の録画状態区分に応じた視聴状態の値を、それぞれ録画カウンタ及び視聴フラグとして有する視聴フラグデータが新たに作成される。
【０２２７】
次に、録画動作の終了に係る処理について、図２７を用いて説明する。
録画待機モード及び録画モードで本処理を終了し、再び本処理を開始すると、ＣＰＵ１０は同図のステップＤ８１以降を行う（ステップＤ１１（Ｎｏ）→Ｄ４１（Ｙｅｓ）→Ｄ４５（Ｎｏ）→Ｄ８１）。
【０２２８】
図２７のステップＤ８１へ移行すると、ＣＰＵ１０は、第１の録画処理と同様にステップＤ８１〜Ｄ８７を行った後、ステップＦ８９へ移行する。従ってこの場合も、ステップＤ８１において新規録画データの終了時刻が到来していない場合（ステップＤ８１：Ｎｏ）、ＣＰＵ１０は、先に詳述したステップＤ６１〜Ｆ７９（図２６）を行う。
【０２２９】
ステップＦ８９へ移行するとＣＰＵ１０は、録画カウンタエリア１７８における計数を停止して本処理を終了する（ステップＦ８９）。
【０２３０】
かくして本処理によれば、第１の録画処理と同様に、録画再生機１は映像データ及び音声データを音声映像記録部１５の新規音声映像データに次々追加記録していく録画動作を示し、また、新規音声映像データに対応する録画データである新規録画データが録画データエリア１７６に作成される。
【０２３１】
そして、かかる追加記録の動作においては、録画状態区分が変化する度に、新規音声映像データの未視聴部分と視聴済部分とを判別するための情報である視聴フラグデータが、新規録画データの中に新たに作成される。
【０２３２】
次に、本実施の形態の再生処理である第２の再生処理について、これをフローチャートで表した図２８〜図３３及び図１７を用いて詳細に説明する。ＣＰＵ１０は、上述のメイン処理（図６）のステップＡ１９において、メモリ部１７Ｂの第２の再生処理プログラム１７ｍを実行することにより、図２８〜図３３及び図１７に示す第２の再生処理を行う。
【０２３３】
第２の再生処理を開始すると、ＣＰＵ１０は、第１の再生処理と同様にステップＥ１１〜Ｅ２３を行う。従ってこの場合も、ステップＥ１１において再生スイッチ１２６がオンされていない場合（ステップＥ１１：Ｎｏ）、ＣＰＵ１０はステップＥ３１（図２９）へ移行する。
【０２３４】
ステップＥ２３において、録画データエリア１７６に録画データがない場合（ステップＥ２３：Ｎｏ）、ＣＰＵ１０は、例えば図２１に示すような、音声映像記録部１５に音声映像データがない旨を警告する警告表示画面を一定時間表示してステップＥ６３（図１７）へ移行する（ステップＥ２５）。
【０２３５】
一方、ステップＥ２３において、録画データエリア１７６に録画データがある場合（ステップＥ２３：Ｙｅｓ）、ＣＰＵ１０は、視聴状態毎に音声映像データの番組名を一覧表示する再生リスト表示処理を行ってステップＥ３１（図２９）へ移行する（ステップＧ２８）。
【０２３６】
この場合ＣＰＵ１０は、後述する再生リスト表示処理（図３４）を行うことにより、各録画データの視聴フラグデータに基づいて、例えば図３５に示すような、音声映像データの番組名を視聴状態毎に一覧表示する再生リスト表示画面ｘ４を表示する。なお、音声映像データの視聴状態の判別については再生リスト表示処理（図３４）の説明において詳述する。
【０２３７】
この再生リスト表示画面ｘ４は、未視聴及び視聴済の音声映像データの番組名を表示する、それぞれ未視聴エリアｘ４１及び視聴済エリアｘ４２と、再生する音声映像データを選択するためのカーソルｘ４３とを備え、例えばユーザが、この再生リスト表示画面ｘ４上でカーソルキー部１２ａを用いてカーソルｘ４３を移動させることにより、再生する音声映像データを選択できるようになされている。
【０２３８】
図２９に示すように、ステップＥ３１へ移行するとＣＰＵ１０は、録画再生機１が再生準備モードであるか否かを判別し（ステップＥ３１）、再生準備モードでない場合（ステップＥ３１：Ｎｏ）、ＣＰＵ１０は本処理を終了する。
【０２３９】
一方、録画再生機１が再生準備モードである場合（ステップＥ３１：Ｙｅｓ）、ＣＰＵ１０は、録画再生機１が再生動作モードでないか否かを判別し（ステップＥ３３）、録画再生機１が再生動作モードである場合（ステップＥ３３：Ｎｏ）、状態継続区間の再生動作に係るステップＥ７１（図３１）へ移行する。
【０２４０】
録画再生機１が再生動作モードでない場合（ステップＥ３３：Ｙｅｓ）、ＣＰＵ１０は、表示部１６１上において、再生対象とする音声映像データの指定を受け付ける（ステップＧ３４）。即ち、再生リスト表示画面ｘ４において、音声映像データの番組名を選択するユーザの操作に応じてカーソルｘ４３の移動を行う。
【０２４１】
次いでＣＰＵ１０は、再生開始スイッチ１２８がオンされたか否かを判別し（ステップＥ４３）、オンされていない場合（ステップＥ４３：Ｎｏ）、ＣＰＵ１０はステップＥ６１（図１７）へ移行する。
【０２４２】
そしてこの場合、第１の再生処理の場合と同様に、再生解除スイッチ１２７がオンされて再生準備モードを終了、又は、再生開始スイッチ１２８がオンされて再生動作モードを開始しない限り、ＣＰＵ１０は、別の番組名の選択と、再生開始スイッチ１２８へのオン操作と、再生解除スイッチ１２８へのオン操作とを待ち受ける動作を示す（ステップＥ１１（Ｎｏ）→Ｅ３１（Ｙｅｓ）→Ｅ３３（Ｙｅｓ）→Ｅ４３（Ｎｏ）→Ｅ６１（Ｎｏ））。
【０２４３】
一方、かかる待ち受けにおいて再生開始スイッチ１２８がオンされた場合（ステップＥ４３：Ｙｅｓ）、ＣＰＵ１０は、再生動作モードへ移行し（ステップＥ４５）、選択中の番組名に対応する音声映像データを指定する（ステップＥ４７）。即ち、この場合ＣＰＵ１０は、選択された録画データ（以下、現録画データと呼ぶ。）の音声映像データＩＤで指定される音声映像データ（以下、現音声映像データと呼ぶ。）の、例えばアドレスを音声映像記録部１５から取得する。
【０２４４】
次いでＣＰＵ１０は、現録画データの最初の視聴フラグデータ（以下、最初の視聴フラグデータと呼ぶ。）における録画カウンタ（以下、最初の録画カウンタと呼ぶ。）及び視聴フラグ（以下、最初の視聴フラグと呼ぶ。）を読み出し、それぞれ録画カウンタエリア１７８及び視聴フラグエリア１７０へ記憶する（ステップＧ４９）。この場合、録画カウンタの値は０である。
次いでＣＰＵ１０は、再生カウンタを０にクリアする（ステップＧ５１）。
【０２４５】
次いでＣＰＵ１０は、視聴フラグエリア１７０が「未視聴」であるか否かを判別し（ステップＧ５３）、「未視聴」である場合（ステップＧ５３：Ｙｅｓ）、即ち、現録画データの最初の視聴フラグが「未視聴」である場合、まず再生カウンタエリア１７９における計数を開始し（ステップＧ５５）、次いで、現録画データの最初の視聴フラグデータにおける視聴フラグとして「視聴済」を記録してステップＥ６１（図１７）へ移行する（ステップＧ５７）。
【０２４６】
そしてこの場合、ＣＰＵ１０は、図１７に示した処理を経て、再生動作モードで本処理を終了するから、再生解除スイッチ１２７がオンされない限り、再び本処理を開始するとステップＥ７１（図３１）以降を行う（ステップＥ１１（Ｎｏ）→Ｅ３１（Ｙｅｓ）→Ｅ３３（Ｎｏ）→Ｅ７１）。
【０２４７】
一方、ステップＧ５３において視聴フラグエリア１７０が「未視聴」でない場合（ステップＧ５３：Ｎｏ）、即ち、現録画データの最初の視聴フラグが「視聴済」である場合、ＣＰＵ１０はステップＨ１３（図３０）へ移行する。
【０２４８】
次に、現録画データの最初の視聴フラグが「視聴済」である場合の飛び越し再生の動作に係る処理について、図３０を用いて説明する。
【０２４９】
図３０のステップＨ１３へ移行すると、ＣＰＵ１０は、例えば図３６に示すような、飛び越しの動作を行うか否かを問うスキップ画面を表示して、かかる問いに回答する指示操作がなされるのを待ち受ける（ステップＨ１３及びＨ１５）。この場合ＣＰＵ１０は、現録画データの最初の視聴フラグデータに対応する状態継続区間（以下、最初の状態継続区間と呼ぶ。）について、飛び越しの動作を行う（Ｙｅｓ）か否（Ｎｏ）かを問う。
【０２５０】
ここに、本実施の形態においては、所定の状態継続区間を再生せず読み飛ばすことをもって飛び越しの動作としても良いし、等倍より大きい所定の速さ（例えば２０倍速）で当該状態継続区間を再生することをもって飛び越しの動作としても良い。
【０２５１】
所定のキー操作により回答する操作がなされ（ステップＨ１５：Ｙｅｓ）、それが飛び越しの動作を行う旨（Ｙｅｓ）の指示でない場合（ステップＨ１７：Ｎｏ）、ＣＰＵ１０はステップＨ２７へ移行する。なお、この場合には、最初の視聴フラグデータ及び最初の状態継続区間が、それぞれ現視聴フラグデータ及び現状態継続区間となる。
【０２５２】
一方、飛び越しの動作を行う旨（Ｙｅｓ）の指示である場合（ステップＨ１７：Ｙｅｓ）、ＣＰＵ１０は、現録画データに次の視聴フラグデータである録画カウンタ及び視聴フラグがあるか否かを判別する（ステップＨ１９）。
【０２５３】
次の視聴フラグデータがない場合（ステップＨ１９：Ｎｏ）、ＣＰＵ１０はステップＨ７１（図３３）へ移行する。因みにこれは、例えば図２４に示すような、視聴フラグが「視聴済」である視聴フラグデータただ１つを有する録画データｘ５１が現録画データであるときに、その視聴フラグデータに対応する視聴済の状態継続区間について飛び越しの動作を行おうとする場合である。
【０２５４】
一方、次の視聴フラグデータがある場合（ステップＨ１９：Ｙｅｓ）、ＣＰＵ１０は、その録画カウンタ及び視聴フラグを読み出して、それぞれ録画カウンタエリア１７８及び視聴フラグエリア１７０に記憶し（ステップＨ２１）、読み出した録画カウンタの値を再生カウンタとして記憶する（ステップＨ２３）。
【０２５５】
次いでＣＰＵ１０は、現音声映像データを再生カウンタの示す時間まで進めてステップＨ２７へ移行する（ステップＨ２５）。この場合例えば、録画再生機１は、現在ＣＰＵ１０が再生するアドレスを音声映像データの先頭からのカウンタ値で指定する再生ポインタ（図示せず）を備え、この再生ポインタの値を再生カウンタの値で上書きする。
【０２５６】
これにより、最初の状態継続区間は飛び越して再生され、次の視聴フラグデータが読み出され、当該視聴フラグデータ（以下、現視聴フラグデータと呼ぶ。）に対応する状態継続区間（以下、現状態継続区間と呼ぶ。）の再生に係る処理が、後述のように行われることとなる。
【０２５７】
ステップＨ２７へ移行すると、ＣＰＵ１０は、更に次の視聴フラグデータである録画カウンタ及び視聴フラグが現録画データにあるか否かを判別し（ステップＨ２７）、かかる視聴フラグデータがある場合（ステップＨ２７：Ｙｅｓ）、当該視聴フラグデータの録画カウンタ及び視聴フラグを読み出して、それぞれ録画カウンタエリア１７８及び視聴フラグエリア１７０に記憶する（ステップＨ２９）。
【０２５８】
次いでＣＰＵ１０は、表示部１６１からスキップ画面（図３６参照）を消去してステップＧ５５（図２９）へ戻る（ステップＨ３１）。
そしてこの場合、ＣＰＵ１０は、ステップＧ５５及びＧ５７（図２９）と図１７に示した処理とを経て、再生動作モードで本処理を終了するから、再び本処理を開始するとステップＥ７１（図３１）以降を行う（ステップＥ１１（Ｎｏ）→Ｅ３１（Ｙｅｓ）→Ｅ３３（Ｎｏ）→Ｅ７１）。
【０２５９】
また、ステップＨ２７において現録画データに次の視聴フラグデータがない場合（ステップＨ２７：Ｎｏ）、ＣＰＵ１０は、次の視聴フラグデータを読み出す等の処理を行うことなくステップＥ７１（図３１）へ移行する。因みにこれは、現視聴フラグデータが現録画データにおける最後の視聴フラグデータである場合の動作である。
【０２６０】
次に、状態継続区間の再生動作に係る処理について、図３１を用いて説明する。
図３１のステップＥ７１へ移行すると、ＣＰＵ１０は、現音声映像データに再生すべき部分が未だあるか否か、即ち現音声映像データが再生し尽くされていないか否かを判別する（ステップＥ７１）。
【０２６１】
再生すべき部分が未だある場合（ステップＥ７１：Ｙｅｓ）、ＣＰＵ１０は、まず音声映像データにおける、再生カウンタが示す位置を読み出し（ステップＥ７３）、デコードして得られる映像データである録画映像データを表示部１６１へ（ステップＥ７５）、デコードして得られる音声データである録画音声データをスピーカ１６２へ（ステップＥ７７）、それぞれ出力する。
【０２６２】
次いでＣＰＵ１０は、読み出された視聴フラグデータの視聴フラグ及び録画カウンタがあるか否かを判別する（ステップＧ７８）。即ちＣＰＵ１０は、現視聴フラグデータが現録画データにおける最後の視聴フラグデータ以外であるか否かを判別する。
【０２６３】
読み出された視聴フラグデータがある場合（ステップＧ７８：Ｙｅｓ）、ＣＰＵ１０は、録画カウンタエリア１７８の値と再生カウンタとが不一致であるか否かを判別する（ステップＧ８０）。即ちＣＰＵ１０は、再生カウンタが録画カウンタエリア１７８の値に到達したか否かを判別する。
【０２６４】
録画カウンタエリア１７８の値と再生カウンタとが不一致である場合（ステップＧ８０：Ｎｏ）、及び、ステップＧ７８において、読み出された視聴フラグデータがない場合（ステップＧ７８：Ｙｅｓ）、ＣＰＵ１０は、再生停止スイッチ１２９がオンされたか否かを判別し（ステップＧ８９）、オンされていない場合（ステップＧ８９：Ｎｏ）、ＣＰＵ１０は本処理を終了する。
【０２６５】
そしてこの場合、再生動作モードで本処理を終了するから、ＣＰＵ１０は、再び本処理を開始するとステップＥ７１以降を行う（ステップＥ１１（Ｎｏ）→Ｅ３１（Ｙｅｓ）→Ｅ３３（Ｎｏ）→Ｅ７１）。
【０２６６】
従って、読み出された視聴フラグデータがない場合は、現音声映像データに再生すべき部分が未だあり、再生停止スイッチ１２９がオンされない間、音声映像データを次々出力する再生の処理を行い続ける。
また、読み出された視聴フラグデータがある場合、ＣＰＵ１０は同様の再生の処理を、再生カウンタが録画カウンタエリア１７８の値に到達するまでの間行い続ける。
【０２６７】
かかる再生の処理を行い続けている状態において、現音声映像データが再生し尽くされた場合（ステップＥ７１：Ｎｏ）、及び、再生停止スイッチ１２９がオンされた場合（ステップＧ８９：Ｙｅｓ）、ＣＰＵ１０はステップＨ７１（図３３）へ移行し、再生動作の停止に係る処理を行う。
【０２６８】
また、読み出された視聴フラグデータがある場合において、かかる再生の処理を行い続け、再生カウンタが録画カウンタエリア１７８の値に到達すると（ステップ８０：Ｎｏ）、ＣＰＵ１０はステップＧ８２へ移行する。
【０２６９】
ステップＧ８２へ移行すると、ＣＰＵ１０はまず、読み出されている視聴フラグデータの視聴フラグが「視聴済」であるか否かを判別する（ステップＧ８２）。
視聴フラグが「視聴済」でない場合（ステップＧ８２：Ｎｏ）、ＣＰＵ１０は本処理を終了する。
【０２７０】
この場合、再生動作モードで本処理を終了するから、ＣＰＵ１０は、再び本処理を開始するとステップＥ７１以降を行う（ステップＥ１１（Ｎｏ）→Ｅ３１（Ｙｅｓ）→Ｅ３３（Ｎｏ）→Ｅ７１）。従って、引き続き、音声映像データを次々出力する再生の処理を行い続ける。
【０２７１】
即ち、読み出されている視聴フラグデータの視聴フラグは「未視聴」であるから、その視聴フラグデータに対応する未視聴の状態継続区間である、現状態継続区間の次の状態継続区間に対して、引き続き、かかる再生の処理を行い続けるようになされている。
【０２７２】
一方、ステップＧ８２において、読み出されている視聴フラグデータの視聴フラグが「視聴済」である場合（ステップＧ８２：Ｙｅｓ）、ＣＰＵ１０はまず、１つ前の視聴フラグデータの視聴フラグが「未視聴」であるか否かを判別する（ステップＧ８４）。
【０２７３】
１つ前の視聴フラグデータの視聴フラグが「未視聴」である場合（ステップＧ８４：Ｙｅｓ）、現録画データの視聴フラグデータのうち、１つ前に読み出された視聴フラグデータである録画カウンタ及び視聴フラグを消去し（ステップＧ８６）、更に、読み出されている視聴フラグデータを消去して（ステップＧ８８）、ステップＨ４１（図３２）へ移行して飛び越し再生の動作に係る処理を行う。
【０２７４】
また、１つ前の視聴フラグデータの視聴フラグが「未視聴」でない場合（ステップＧ８４：Ｎｏ）、読み出されている視聴フラグデータを消去して（ステップＧ８８）、ステップＨ４１（図３２）へ移行する。
【０２７５】
このように、未視聴の状態継続区間の全体に亘る再生が完了すると、これに伴う現音声映像データ内の「既に視聴されたデータ部分」の変化に対応するように、現録画データ内の所定の視聴フラグデータに対して消去（以下、視聴フラグデータの整理と呼ぶ。）が行われるようになされている。
【０２７６】
従って、かかる視聴フラグデータの整理によれば、例えば、図３７及び図３８に示すように、未視聴の状態継続区間が再生された場合にも視聴フラグデータが現録画データ内に保たれる。
【０２７７】
即ち、例えば、現音声映像データｘ６１における先頭の未視聴の状態継続区間ｘ６２が再生される場合（図３７（ａ））、まず、再生の開始にあたり、状態継続区間ｘ６２の視聴フラグが「視聴済」に変えられる（ステップＧ５７（図２９）参照）。
そして、状態継続区間ｘ６２が再生されていき（図３７（ｂ））、再生カウンタｘ６３が次の視聴済の状態継続区間ｘ６４の録画カウンタの値（例えば４５０）まで達すると（図３７（ｃ））、次の状態継続区間ｘ６４に対応する視聴フラグデータ（例えば４５０及び「視聴済」）が消去される（図３７（ｄ））。かくして、１つの状態継続区間ｘ６５に対応する視聴フラグデータ（例えば０及び「視聴済」）が残ることとなる。
【０２７８】
また、例えば、現音声映像データｘ７１における先頭以外の未視聴の状態継続区間ｘ７２が再生されていき（図３８（ａ））、再生カウンタｘ７３が次の視聴済の状態継続区間ｘ７４の録画カウンタの値（例えば３１４３）まで達すると（図３８（ｂ））、状態継続区間ｘ７２に対応する視聴フラグデータ（例えば４５０及び「未視聴」）と、状態継続区間ｘ７４に対応する視聴フラグデータ（例えば３１４３及び「視聴済」）とがそれぞれ消去される（図３８（ｃ））。かくして、１つの状態継続区間ｘ７５に対応する視聴フラグデータ（例えば０及び「視聴済」）が残ることとなる。
【０２７９】
このように、かかる視聴フラグデータの整理の処理によれば、未視聴の状態継続区間が再生された場合にも、現音声映像データ内の「既に視聴されたデータ部分」を適切に反映した視聴フラグデータが現録画データ内に保たれ、従って、未視聴の状態継続区間であったデータ部分は、以後の処理において、視聴済の状態継続区間の一部として適切に処理されることとなる。
【０２８０】
次に、音声映像データの飛び越し再生の動作に係る処理について、図３２を用いて説明する。上述のステップＧ８２（図３１）において視聴フラグが「視聴済」である場合、ＣＰＵ１０はステップＧ８４〜Ｇ８８を行った後、図３２に示すステップＨ４１〜Ｈ６３を行う。
【０２８１】
図３２のステップＨ４１へ移行すると、ＣＰＵ１０は、まず再生カウンタエリア１７９における計数を停止し（ステップＨ４１）、次いで、例えば図３６に示すような、飛び越しの動作を行うか否かを問うスキップ画面を表示して、かかる問いに回答する指示操作がなされるのを待ち受ける（ステップＨ４３及びＨ４５）。
【０２８２】
所定のキー操作により回答する操作がなされ（ステップＨ４５：Ｙｅｓ）、それが飛び越しの動作を行う旨（Ｙｅｓ）の指示でない場合（ステップＨ４７：Ｎｏ）、ＣＰＵ１０はステップＨ５７へ移行する。
【０２８３】
一方、飛び越しの動作を行う旨（Ｙｅｓ）の指示である場合（ステップＨ４７：Ｙｅｓ）、ＣＰＵ１０は、現録画データに次の視聴フラグデータである録画カウンタ及び視聴フラグがあるか否かを判別し（ステップＨ４９）、次の視聴フラグデータがない場合（ステップＨ４９：Ｎｏ）、ＣＰＵ１０はステップＨ７１（図３３）へ移行する。
因みにこれは、例えば図２４に示すような、視聴フラグが「視聴済」であり１つの録画データの最後である視聴フラグデータｘ５２に対応する状態継続区間について飛び越しの動作を行う場合である。
【０２８４】
一方、次の視聴フラグデータがある場合（ステップＨ４９：Ｙｅｓ）、ＣＰＵ１０は、その録画カウンタ及び視聴フラグを読み出して、それぞれ録画カウンタエリア１７８及び視聴フラグエリア１７０に記憶し（ステップＨ５１）、読み出した録画カウンタの値を再生カウンタとして記憶し（ステップＨ５３）、次いで、現音声映像データを再生カウンタの示す時間まで進めてステップＨ５７へ移行する（ステップＨ５５）。
【０２８５】
これにより、ステップＧ８２（図３１）において「視聴済」と判別された視聴フラグデータに対応する、現音声映像データ上の状態継続区間であった部分が飛び越して再生され、次の視聴フラグデータが読み出され、当該視聴フラグデータ（以下、改めてこれを現視聴フラグデータとする。）に対応する状態継続区間（以下、改めてこれを現状態継続区間とする。）の再生に係る処理が行われることとなる（図３１参照）。
【０２８６】
ステップＨ５７へ移行すると、ＣＰＵ１０は、更に次の視聴フラグデータである録画カウンタ及び視聴フラグが現録画データにあるか否かを判別し（ステップＨ５７）、かかる視聴フラグデータがある場合（ステップＨ５７：Ｙｅｓ）、当該視聴フラグデータを読み出して録画カウンタエリア１７８及び視聴フラグエリア１７０に記憶し（ステップＨ５９）、スキップ画面（図３６参照）を消去する（ステップＨ６１）。
【０２８７】
次いでＣＰＵ１０は、再生カウンタエリア１７９における計数を開始してステップＥ７１（図３１）へ移行する。
【０２８８】
また、ステップＨ５７において現録画データに次の視聴フラグデータがない場合（ステップＨ５７：Ｎｏ）、即ち、現視聴フラグデータが現録画データにおける最後の視聴フラグデータである場合、ＣＰＵ１０は、次の視聴フラグデータを読み出す等の処理を行うことなくステップＥ７１（図３１）へ移行する。
【０２８９】
そして、かくしてステップＥ７１（図３１）へ移行すると、それ以降ＣＰＵ１０は、現状態継続区間を再生し尽くすか、再生停止スイッチ１２９がオンされるか、又は、再生カウンタが録画カウンタエリア１７８の値に到達するまで、音声映像データを次々出力する再生の処理を行い続ける。
【０２９０】
このように、ステップＧ８２（図３１）において視聴フラグが「視聴済」である場合、再生カウンタは現音声映像データにおける視聴済の状態継続区間の所定の位置にある（図３７（ｄ）及び図３８（ｃ）参照）から、ステップＨ４１〜Ｈ６３を行って、既に視聴した部分の飛び越し再生に係る処理を行うようになされている。
【０２９１】
次に、再生の停止に係る処理について、図３３を用いて説明する。上述したように、現音声映像データが再生し尽くされた場合（ステップＥ７１：Ｎｏ）、再生停止スイッチ１２９がオンされた場合（ステップＧ８９：Ｙｅｓ）、又は、音声映像データにおける最後であって視聴済である状態継続区間について飛び越しの指示がなされた場合（ステップＨ１９：Ｎｏ及びステップＨ４９：Ｎｏ）、図３３に示すステップＨ７１〜Ｈ８１が行われる。
【０２９２】
図３３のステップＨ７１へ移行すると、読み出される視聴フラグデータがなく、次の視聴フラグデータを読み出せていないか否かを判別する（ステップＨ７１）。即ちＣＰＵ１０は、飛び越しの指示がなされた状態継続区間や直前まで再生していた状態継続区間（現状態継続区間）が現音声映像データにおける最後の状態継続区間であるか否かを判別する。
【０２９３】
読み出される視聴フラグデータがない場合（ステップＨ７１：Ｙｅｓ）、１つ前の視聴フラグデータの視聴フラグが「未視聴」であるか否かを判別する（ステップＨ７３）。即ちＣＰＵ１０は、現状態継続区間が未視聴の状態継続区間であるか否かを判別し、未視聴であるならば（ステップＨ７３：Ｙｅｓ）ステップＨ７５へ移行し、未視聴でなければ（ステップＨ７３：Ｎｏ）ステップＨ７９へ移行する。
【０２９４】
また、ステップＨ７１において、読み出される視聴フラグデータがある場合（ステップＨ７１：Ｎｏ）、即ち、現状態継続区間が現音声映像データにおける最後の状態継続区間でない場合、ＣＰＵ１０は、読み出されている視聴フラグデータの視聴フラグとしてそのとき視聴フラグエリア１７０に記憶されている値が「視聴済」であるか否かを判別する（ステップＨ７７）。
【０２９５】
視聴フラグの値が「視聴済」でない場合（ステップＨ７７：Ｎｏ）、ＣＰＵ１０はステップＨ７９へ移行する。
一方、視聴フラグの値が「視聴済」である場合（ステップＨ７７：Ｙｅｓ）、ＣＰＵ１０はステップＨ７５へ移行する。即ち、これは現状態継続区間が未視聴の状態継続区間である場合であり、この場合もＣＰＵ１０は、ステップＨ７３と同様にステップＨ７５へ移行する。
【０２９６】
ステップＨ７５へ移行すると、ＣＰＵ１０は、１つ前に読み出された視聴フラグデータの録画カウンタに、再生カウンタエリア１７９をストアしてステップＨ７７へ移行する（ステップＨ７５）。
【０２９７】
即ちＣＰＵ１０は、未視聴の状態継続区間が現状態継続区間として再生されている際に再生停止スイッチ１２９がオンされると、現音声映像データ内の「既に視聴されたデータ部分」の変化に対応するように、現状態継続区間に対応する視聴フラグデータの録画カウンタを現在の再生カウンタの値で書き換える（以下、かかる書換えの処理を録画カウンタ値更新と呼ぶ。）。
【０２９８】
従って、かかる録画カウンタ値更新によれば、例えば図３９に示すように、現音声映像データ内の「既に視聴されたデータ部分」を適切に反映した視聴フラグデータが現録画データ内に保たれる。
【０２９９】
即ち、例えば、録画データｘ８１に対応する音声映像データｘ８１の、視聴フラグデータｘ８２に対応する未視聴の状態継続区間ｘ８２を再生する場合（図３９（ａ））、例えばカウンタ値が１７６０である再生カウンタｘ８３の位置の再生中に再生停止スイッチ１２９がオンされると（図３９（ｂ））、視聴フラグデータｘ８２の録画カウンタｘ８４の値が再生カウンタの値「１７６０」で書き換えられる（図３９（ｃ））。
【０３００】
これは、図３９（ｃ）に対応する図３９（ｄ）に示すように、状態継続区間ｘ８２の開始位置が再生カウンタｘ８３の位置に移されることと同じであるから、従って本処理の録画カウンタ値更新によれば、視聴フラグデータは現音声映像データ内の「既に視聴されたデータ部分」を適切に反映したものとなる。
【０３０１】
ステップＨ７９（図３３）へ移行すると、ＣＰＵ１０は、ＳＴＡＲＴＦを０として再生動作モードを終了し（ステップＨ７９）、再生カウンタエリア１７９における計数を停止してステップＧ２８（図２８）へ移行する（ステップＨ８１）。
そして、ＣＰＵ１０は再び、別の再生対象の番組名の選択と、再生開始スイッチ１２８へのオン操作と、再生解除スイッチ１２８へのオン操作とを待ち受ける動作状態に入る。
【０３０２】
かくして本処理によれば、第１の再生処理と同様に、録画再生機１はユーザにより指定された音声映像データの再生を行う。その際、第２の録画処理において録画状態区分が変化する度に録画データ内に記録された視聴フラグデータに基づいて、視聴フラグが「視聴済」である視聴フラグデータに対応する状態継続区間について、ユーザがこれを飛び越し再生するか否かを選択できるようになされている。
【０３０３】
また、未視聴の状態継続区間の再生が行われた際は、録画データ内の所定の視聴フラグデータを消去する処理である視聴フラグデータの整理や、視聴フラグデータの録画カウンタを書き換える録画カウンタ値更新が行われることにより、音声映像データ内の「既に視聴されたデータ部分」を適切に反映した視聴フラグデータが録画データ内に保たれるようになされている。また、これにより、次回以後の再生の際も、録画再生機１は各音声映像データ内の「既に視聴されたデータ部分」を正しく認識して適切に処理することとなる。
【０３０４】
次に、本実施の形態の再生リスト表示処理について、これをフローチャートで表した図３４を用いて詳細に説明する。ＣＰＵ１０は、第２の再生処理の必要に応じて（ステップＧ２８において）メモリ部１７Ｂの再生リスト表示処理プログラム１７ｎを実行することにより、同図に示す再生リスト表示処理を行う。
【０３０５】
再生リスト表示処理を開始すると、まずＣＰＵ１０は、録画データエリア１７７から録画データを１つ取得する（ステップＢ５１）。そしてＣＰＵ１０は、その録画データの各視聴フラグデータの視聴フラグの値について判別する（ステップＢ５３）。
【０３０６】
視聴フラグが「未視聴」である視聴フラグデータがある場合（ステップＢ５３：「未視聴あり」）、ＣＰＵ１０は、その録画データの番組名を、再生リスト表示画面ｘ４（図３５）の未視聴エリアｘ４１に追加表示する（ステップＢ５５）。即ち、視聴フラグが「未視聴」である視聴フラグデータが１つでもあれば、その録画データの番組名は未視聴エリアｘ４１に表示される。
一方、視聴フラグが「未視聴」である視聴フラグデータがない場合（ステップＢ５３：「未視聴なし」）、ＣＰＵ１０は、その録画データの番組名を視聴済エリアｘ４２に追加表示する（ステップＢ５７）。
【０３０７】
次いでＣＰＵ１０は、録画データエリア１７７に、番組名をまだ表示していない録画データがあるか否かを判別し（ステップＢ５９）、かかる録画データがない場合（ステップＢ５９：Ｎｏ）、本処理を終了する。一方、番組名をまだ表示していない録画データがある場合（ステップＢ５９：Ｙｅｓ）、ＣＰＵ１０はステップＢ５１へ戻る。
【０３０８】
即ちＣＰＵ１０は、録画データエリア１７７の全ての録画データについてステップＢ５１〜Ｂ５９を行い、全ての録画データの番組名を未視聴エリアｘ４１又は視聴済エリアｘ４２に表示する。
【０３０９】
かくして本処理によれば、ＣＰＵ１０は、例えば図３５に示すような再生リスト表示画面ｘ４上の未視聴エリアｘ４１及び視聴済エリアｘ４２に、それぞれ未視聴及び視聴済の音声映像データの番組名を表示する。
【０３１０】
〔他の実施の形態〕
なお、上述の第１及び第２の実施の形態においては、録画するチャンネルと同じチャンネルを表示部１６１に表示するか否かに応じて視聴状態を表す値を決定し、録画データの視聴フラグとして記録するようにしたが、本発明はこれに限らず、視聴状態を表す値を決定する際に、更に、視聴する人間が録画再生機１の周辺に居るかどうかを併せて考慮するようにしても良い。
【０３１１】
即ち、録画するチャンネルと同じチャンネルを表示部１６１に表示し、かつ視聴する人間が存在する場合に、録画データの視聴フラグを「視聴済」と決定し、そうでない場合には視聴フラグを「未視聴」と決定してそれぞれ記録するようにしても良い。
以下、図面を参照して具体的に説明する。
【０３１２】
図４０は、第１及び第２の実施の形態における録画再生機１と同様に録画の動作や再生の動作等を行う録画再生機１において、更に、視聴する人間の有無を認識可能に構成した内部構成の概略例を示す図である。
【０３１３】
同図に示すように録画再生機１は、バス１１を介してＣＰＵ１０に接続される人感センサであるセンサ部１９を更に備えて構成される。
センサ部１９は、例えば、発光部及び受光部を備える赤外線センサで構成され、発光部から赤外線を発光し、その反射光を受光部で受光することによって、物体（例えば、ユーザ）が所定範囲内（近傍）にあることを検出し、その検出信号をＣＰＵ１０へ出力する。
【０３１４】
そして、かかる構成の録画再生機１における第２の録画処理のステップＤ６５（図２６）とステップＦ６７との間において、ＣＰＵ１０は、図４１に示すステップＪ６６を行うようにする。
【０３１５】
即ち、ＣＰＵ１０は、第２の録画処理のステップＤ６５までを行い、ビデオ回路部１４から出力される映像データ及び音声データを音声映像記録部１５へストアした後、センサ部１９を介して、自機の近傍にユーザが存在するか否かを判別する（ステップＪ６６）。
【０３１６】
自機の近傍にユーザが存在する場合（ステップＪ６６：Ｙｅｓ）、ＣＰＵ１０はステップＦ６７へ移行して、一方、近傍にユーザが存在しない場合（ステップＪ６６：Ｎｏ）ステップＦ７５へ、それぞれ移行する。
【０３１７】
かくして、かかる第２の録画処理においては、自機の近傍にユーザが存在し、表示部１６１が稼動し、視聴チャンネル１７３と録画チャンネル１７２とが同じ値である場合にのみ一致録画状態である場合の処理（ステップＦ７１、Ｆ７３及びＦ７９）が行われ、一方、自機の近傍にユーザが存在しない場合や、表示部１６１が稼動していない場合や、表示部１６１が稼動していても視聴チャンネル１７３と録画チャンネル１７２とが同じ値でない場合には不一致録画状態である場合の処理（ステップＦ７５、Ｆ７７及びＦ７９）が行われることとなる。
【０３１８】
即ち、そのように、視聴する人間の有無を考慮して判別された録画状態区分（一致録画状態であるか不一致録画状態であるか）に基づいて、録画状態区分が変化する度に新たな視聴フラグデータが新規録画データに作成される。
【０３１９】
このように、かかる録画再生機１によれば、音声映像データ内の「既に視聴されたデータ部分」の識別を、より厳密な判断に基づいて決定して録画データエリア１７７に記録することができる。
【図面の簡単な説明】
【０３２０】
【図１】本発明の一実施の形態における録画再生機の回路構成を示す図である。
【図２】第１の実施の形態におけるメモリ部の構成を示す図である。
【図３】ＥＰＧデータエリアの構成を示す図である。
【図４】予約データエリアの構成を示す図である。
【図５】第１の実施の形態における録画データエリアの構成を示す図である。
【図６】メイン処理を示す図である。
【図７】視聴処理を示す図である。
【図８】チャンネル変更処理を示す図である。
【図９】録画設定処理を示す図である。
【図１０】録画設定処理を示す図である。
【図１１】第１の録画処理を示す図である。
【図１２】第１及び第２の録画処理を示す図である。
【図１３】第１の録画処理を示す図である。
【図１４】第１の録画処理を示す図である。
【図１５】第１の再生処理を示す図である。
【図１６】第１の再生処理を示す図である。
【図１７】第１及び第２の再生処理を示す図である。
【図１８】第１の再生処理を示す図である。
【図１９】録画データ表示処理を示す図である。
【図２０】ＥＰＧ番組表を示す図である。
【図２１】音声映像データがない旨の警告表示画面を示す図である。
【図２２】録画データ表示画面を示す図である。
【図２３】第２の実施の形態におけるメモリ部の構成を示す図である。
【図２４】第２の実施の形態における録画データエリアの構成を示す図である。
【図２５】第２の録画処理を示す図である。
【図２６】第２の録画処理を示す図である。
【図２７】第２の録画処理を示す図である。
【図２８】第２の再生処理を示す図である。
【図２９】第２の再生処理を示す図である。
【図３０】第２の再生処理を示す図である。
【図３１】第２の再生処理を示す図である。
【図３２】第２の再生処理を示す図である。
【図３３】第２の再生処理を示す図である。
【図３４】再生リスト表示処理を示す図である。
【図３５】再生リスト表示画面を示す図である。
【図３６】飛び越しの動作に係るスキップ画面を示す図である。
【図３７】視聴フラグデータの整理の説明に供する図である。
【図３８】視聴フラグデータの整理の説明に供する図である。
【図３９】録画カウンタ値更新の説明に供する図である。
【図４０】他の形態における録画再生機の回路構成を示す図である。
【図４１】他の実施の形態における第２の録画処理を示す図である。
【符号の説明】
【０３２１】
１  録画再生機
１０  ＣＰＵ
１３  ＴＶ回路部
１４  ビデオ回路部
１５ｄ１、１５ｄ２、・・・  音声映像データ
１６１  表示部
１９  センサ部
【図１】
0004654604.tif 000002
【図２】
0004654604.tif 000003
【図３】
0004654604.tif 000004
【図４】
0004654604.tif 000005
【図５】
0004654604.tif 000006
【図６】
0004654604.tif 000007
【図７】
0004654604.tif 000008
【図８】
0004654604.tif 000009
【図９】
0004654604.tif 000010
【図１０】
0004654604.tif 000011
【図１１】
0004654604.tif 000012
【図１２】
0004654604.tif 000013
【図１３】
0004654604.tif 000014
【図１４】
0004654604.tif 000015
【図１５】
0004654604.tif 000016
【図１６】
0004654604.tif 000017
【図１７】
0004654604.tif 000018
【図１８】
0004654604.tif 000019
【図１９】
0004654604.tif 000020
【図２０】
0004654604.tif 000021
【図２１】
0004654604.tif 000022
【図２２】
0004654604.tif 000023
【図２３】
0004654604.tif 000024
【図２４】
0004654604.tif 000025
【図２５】
0004654604.tif 000026
【図２６】
0004654604.tif 000027
【図２７】
0004654604.tif 000028
【図２８】
0004654604.tif 000029
【図２９】
0004654604.tif 000030
【図３０】
0004654604.tif 000031
【図３１】
0004654604.tif 000032
【図３２】
0004654604.tif 000033
【図３３】
0004654604.tif 000034
【図３４】
0004654604.tif 000035
【図３５】
0004654604.tif 000036
【図３６】
0004654604.tif 000037
【図３７】
0004654604.tif 000038
【図３８】
0004654604.tif 000039
【図３９】
0004654604.tif 000040
【図４０】
0004654604.tif 000041
【図４１】
0004654604.tif 000042